(57)【要約】【課題】  表示セルの誤放電の抑制等を図る。【解決手段】  プラズマディスプレイパネル１２のトレース電極３２(m+2)に書込みパルスが印加され、かつ、データ電極２４(n+1)にデータパルスが印加されて表示セル１４(m+1)(n+1)が選択されるとき、該表示セルと境界部を共有する４つの表示セル１４m(n+1)、１４(m+1)n、１４(m+1)(n+2)、１４(m+2)(n+1)のいずれにも、上記書込みパルスは印加されない。表示セル１４(m+1)(n+1)で発生する書込み放電に誘発されて上記隣接する４つの表示セルで誤放電が発生するのを抑制することができる。【選択図】図１
2005203153.tif 000002
【特許請求の範囲】
【請求項１】
第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列されているプラズマディスプレイパネルであって、
複数の前記表示セルのうちの所定の前記表示セルの前記第１電極は、当該表示セルと互いに線状に隣接するいずれの前記表示セルの前記第１電極とも電気的に接続されていないことを特徴とするプラズマディスプレイパネル。
【請求項２】
第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列され、かつ、
複数の前記第１電極が複数の第１電極群に区分され、同一の前記第１電極群に属する前記第１電極同士は互いに電気的に接続される一方、異なる前記第１電極群に属する前記第１電極同士は電気的に接続されてないように構成されているプラズマディスプレイパネルであって、
互いに線状に隣接する２つの前記表示セルの前記第１電極同士が、互いに異なる前記第１電極群に属する構成とされていることを特徴とするプラズマディスプレイパネル。
【請求項３】
前記プラズマディスプレイパネルの水平方向毎の前記表示セルの各々が表示行を構成し、
前記表示行のいずれも、奇数番目の前記表示セルと偶数番目の前記表示セルとで前記表示セルの前記第１電極と前記第２電極とが第１の位置と第２の位置とで交互に入れ替えられて配置され、
第1の前記表示行の第1の前記位置にある前記第1電極が第1の前記表示行の第1の前記第1電極群を形成すると共に、第１の前記表示行の第２の前記位置にある前記第1電極が第1の前記表示行の第２の前記第1電極群を形成し、
複数の前記表示行のうちの第１の前記表示行の第1の前記第1電極群を形成する前記第1電極は、第1の前記表示行の第1の前記第1電極群と隣り合う第2の前記表示行の第2の前記第1電極群を形成する前記第1電極であって垂直方向において第1の前記表示行の第1の前記第1電極群を形成する前記第1電極の間に位置する前記第1電極と第１のトレース電極で接続され、第１の前記表示行の第２の前記第1電極群を形成する前記第1電極は、第1の前記表示行の第２の前記第1電極群と隣り合う第３の前記表示行の第１の前記第1電極群を形成する前記第1電極であって垂直方向において第1の前記表示行の第1の前記第1電極群を形成する前記第1電極の間に位置する前記第1電極と第２のトレース電極で接続されていることを特徴とする請求項２記載のプラズマディスプレイパネル。
【請求項４】
前記プラズマディスプレイパネルの水平方向毎の前記表示セルの各々が表示行を構成し、
前記表示行の各前記表示セルの前記第1電極は、いずれも、同一の前記表示行内の第1の位置に配置され、かつ、前記第2電極は、いずれも、同一の前記表示行内の第2の位置に配置されると共に、前記表示行毎に前記表示セルの前記第1電極と前記第2電極とが前記表示セル毎に入れ替えられて配置され、
前記表示行のいずれにおいても奇数番目の前記第1電極が第１の前記第1電極群を構成し、偶数番目の前記第1電極が第２の前記第１電極群を構成し、
複数の表示行のうちの第1の前記表示行の第１の前記第１電極群を形成する前記第1電極は、第１の前記表示行の第１の前記第１電極群と隣り合う第2の前記表示行の第２の前記第１電極群を形成する前記第1電極であって垂直方向において第1の前記表示行の第１の前記第１電極群を形成する前記第１電極の間に位置する前記第１電極と第１のトレース電極で接続され、第1の前記表示行の第２の前記第１電極群を形成する前記第1電極は、第２の前記表示行の第２の前記第１電極群を形成する前記第1電極であって垂直方向において第1の前記表示行の第１の前記第１電極群を形成する前記第１電極間に位置する前記第１電極と第２のトレース電極で接続されていることを特徴とする請求項２記載のプラズマディスプレイパネル。
【請求項５】
前記プラズマディスプレイパネルの水平方向毎の前記表示セルの各々が表示行を構成し、
前記表示行のいずれも、奇数番目の前記表示セルと偶数番目の前記表示セルとで前記表示セルの前記第１電極と前記第２電極とが第１の位置と第２の位置とで交互に入れ替えられて配置され、
第1の前記表示行の第1の前記位置にある前記第1電極が第1の前記表示行の第1の前記第1電極群を形成すると共に、第１の前記表示行の第２の前記位置にある前記第1電極が第1の前記表示行の第２の前記第1電極群を形成し、
第１の前記第１電極群の各前記第１電極は、互いに第１のトレース電極で接続され、第1の前記表示行の第２の前記第１電極群の各前記第１電極は、互いに第２のトレース電極で接続されていることを特徴とする請求項２記載のプラズマディスプレイパネル。
【請求項６】
前記プラズマディスプレイパネルの水平方向毎の前記表示セルの各々が表示行を構成し、
奇数番目の前記表示行を構成する各前記表示セルの前記第３電極間の中央に、偶数番目の前記表示行の前記第３電極が配置され、
前記表示行のいずれも、奇数番目の前記表示セルと偶数番目の前記表示セルとで前記表示セルの前記第１電極と前記第２電極とが第１の位置と第２の位置とで交互に入れ替えられて配置され、かつ、１行置きの前記表示行毎に、前記表示セルの前記第1電極と前記第2電極とが第1の前記位置と第2の前記位置とで交互に入れ替えられて配置され、
前記表示行のいずれにおいても、第1の前記位置にある前記第1電極が第1の前記第1電極群を形成すると共に、第２の前記位置にある前記第1電極が第２の前記第1電極群を形成し、
奇数番目の前記表示行の第１の前記第1電極群を形成する前記第1電極は、互いに第１のトレース電極で接続され、奇数番目の前記表示行の第２の前記第１電極群を形成する前記第1電極は、互いに第２のトレース電極で接続され、偶数番目の前記表示行の第１の前記第1電極群を形成する前記第1電極は、互いに第３のトレース電極で接続され、偶数番目の前記表示行の第２の前記第１電極群を形成する前記第１電極は、互いに第４のトレース電極で接続されていることを特徴とする請求項２記載のプラズマディスプレイパネル。
【請求項７】
同一の前記第1電極群の前記第1電極を含む前記表示セルの前記第３電極は、前記表示セル毎に別個の前記第３電極であることを特徴とする請求項２乃至６のいずれか一に記載のプラズマディスプレイパネル。
【請求項８】
第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列されているプラズマディスプレイパネルと、
前記第１電極に選択的に電圧を印加する第１の電圧印加手段と、
前記第３電極に選択的に電圧を印加する第２の電圧印加手段と、
前記第１の電圧印加手段による前記第１電極への電圧の印加と前記第２の電圧印加手段による前記第３電極への電圧の印加とによって前記第１電極と前記第３電圧との間で発生される放電の有無により前記第１電極と前記第２電極との間で表示のための放電を制御する放電制御手段とを備えたプラズマディスプレイパネルの駆動装置であって、
複数の前記表示セルのうちの所定の前記表示セルの前記第１電極は、当該表示セルと互いに線状に隣接するいずれの前記表示セルの前記第１電極とも電気的に接続されないように構成され、
前記第１の電圧印加手段は、所定の前記表示セルの前記第１電極への前記電圧の印加時刻と、所定の前記表示セルと互いに線状に隣接するいずれの前記表示セルの前記第１電極への前記電圧の印加時刻とを異ならしめて構成されることを特徴とするプラズマディスプレイパネルの駆動装置。
【請求項９】
第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列され、かつ、複数の前記第１電極が複数の第１電極群に区分され、同一の前記第１電極群に属する前記第１電極同士は互いに電気的に接続される一方、異なる前記第１電極群に属する前記第１電極同士は電気的に接続されてないように構成されているプラズマディスプレイパネルと、
前記第１電極に選択的に電圧を印加する第１の電圧印加手段と、
前記第３電極に選択的に電圧を印加する第２の電圧印加手段と、
前記第１の電圧印加手段による前記第１電極への電圧の印加と前記第２の電圧印加手段による前記第３電極への電圧の印加とによって前記第１電極と前記第３電圧との間で発生される放電の有無により前記第１電極と前記第２電極との間で表示のための放電を制御する放電制御手段とを備えたプラズマディスプレイパネルの駆動装置であって、
互いに線状に隣接する２つの前記表示セルの前記第１電極同士が、互いに異なる前記第１電極群に属する構成とされ、
前記第１の電圧印加手段は、互いに異なる前記第１電極群のうちの一方の前記第１電極群の前記第１電極への前記電圧の印加時刻と、互いに異なる前記第１電極群のうちの他方の前記第１電極群の前記第１電極への前記電圧の印加時刻とを異ならしめて構成されることを特徴とするプラズマディスプレイパネルの駆動装置。
【請求項１０】
前記第１の電圧印加手段は、互いに異なる複数の前記第１電極群のうちの所定数の前記第１電極群を形成する前記第１電極に同時に前記電圧を印加するように構成され、
同時に前記電圧が印加される前記第１電極を有する前記表示セルの前記第３電極はいずれも異なることを特徴とする請求項９記載のプラズマディスプレイパネルの駆動装置。
【請求項１１】
同一の前記第1電極群の前記第1電極を含む前記表示セルの前記第３電極は、前記表示セル毎に別個の前記第３電極であることを特徴とする請求項９又は１０記載のプラズマディスプレイパネルの駆動装置。
【請求項１２】
前記プラズマディスプレイパネルの水平方向毎の前記表示セルの各々が表示行を構成し、
前記表示行のいずれも、奇数番目の前記表示セルと偶数番目の前記表示セルとで前記表示セルの前記第１電極と前記第２電極とが第１の位置と第２の位置とで交互に入れ替えられて配置され、
第1の前記表示行の第1の前記位置にある前記第1電極が第1の前記表示行の第1の前記第1電極群を形成すると共に、第１の前記表示行の第２の前記位置にある前記第1電極が第1の前記表示行の第２の前記第1電極群を形成し、
第１の前記表示行の第1の前記第1電極群を形成する前記第1電極は、第1の前記表示行の第1の前記第1電極群と隣り合う第2の前記表示行の第2の前記第1電極群を形成する前記第1電極であって垂直方向において第1の前記表示行の第1の前記第1電極群を形成する前記第1電極の間に位置する前記第1電極と第１のトレース電極で接続され、第１の前記表示行の第２の前記第1電極群を形成する前記第1電極は、第1の前記表示行の第２の前記第1電極群と隣り合う第３の前記表示行の第１の前記第1電極群を形成する前記第1電極であって垂直方向において第1の前記表示行の第1の前記第1電極群を形成する前記第1電極の間にある前記第1電極と第２のトレース電極で接続され、
前記第１の電圧印加手段は、第１の前記トレース電極への前記電圧の印加時刻と、第２の前記トレース電極への前記電圧の印加時刻とを異ならしめて構成されていることを特徴とする請求項９、１０又は１１記載のプラズマディスプレイパネルの駆動装置。
【請求項１３】
前記プラズマディスプレイパネルの水平方向毎の前記表示セルの各々が表示行を構成し、
前記表示行の各前記表示セルの前記第1電極は、いずれも、同一の前記表示行内の第1の位置に配置され、かつ、前記第２電極は、いずれも、同一の前記表示行内の第2の位置に配置されると共に、前記表示行毎に前記表示セルの前記第1電極と前記第2電極とが前記表示セル毎に入れ替えられて配置され、
前記表示行のいずれにおいても奇数番目の前記第1電極が第１の前記第1電極群を構成し、偶数番目の前記第1電極が第２の前記第１電極群を構成し、
複数の表示行のうちの第1の前記表示行の第１の前記第１電極群を形成する前記第1電極は、第１の前記表示行の第１の前記第１電極群と隣り合う第2の前記表示行の第２の前記第１電極群を形成する前記第1電極であって垂直方向において第1の前記表示行の第１の前記第１電極群を形成する前記第１電極の間に位置する前記第１電極と第１のトレース電極で接続され、第1の前記表示行の第２の前記第１電極群を形成する前記第1電極は、第２の前記表示行の第１の前記第１電極群を形成する前記第1電極であって第1の前記表示行の第１の前記第１電極群を形成する前記第１電極間に位置する前記第１電極と第２のトレース電極で接続され、
前記第１の電圧印加手段は、第１の前記トレース電極への前記電圧の印加時刻と、第２の前記トレース電極への前記電圧の印加時刻とを異ならしめて構成されていることを特徴とする請求項９、１０又は１１記載のプラズマディスプレイパネルの駆動装置。
【請求項１４】
前記プラズマディスプレイパネルの水平方向毎の前記表示セルの各々が表示行を構成し、
前記表示行のいずれも、奇数番目の前記表示セルと偶数番目の前記表示セルとで前記表示セルの前記第１電極と前記第２電極とが第１の位置と第２の位置とで交互に入れ替えられて配置され、
第1の前記表示行の前記第1の位置にある前記第1電極が第1の前記表示行の第1の前記第1電極群を形成すると共に、第１の前記表示行の前記第２の位置にある前記第1電極が第1の前記表示行の第２の前記第1電極群を形成し、
第１の前記第１電極群の各前記第１電極は、互いに第１のトレース電極で接続され、第1の前記表示行の第２の前記第１電極群の各前記第１電極は、互いに第２のトレース電極で接続され、
前記第１の電圧印加手段は、第１の前記トレース電極への前記電圧の印加時刻と、第２の前記トレース電極への前記電圧の印加時刻とを異ならしめて構成されていることを特徴とする請求項９、１０又は１１記載のプラズマディスプレイパネルの駆動装置。
【請求項１５】
前記プラズマディスプレイパネルの水平方向毎の前記表示セルの各々が表示行を構成し、奇数番目の前記表示行を構成する各前記表示セルの前記第３電極間の中央に、偶数番目の前記表示行の前記第３電極が配置され、
前記表示行のいずれも、奇数番目の前記表示セルと偶数番目の前記表示セルとで前記表示セルの前記第１電極と前記第２電極とが第１の位置と第２の位置とで交互に入れ替えられて配置され、かつ、１行置きの前記表示行毎に、前記表示セルの前記第1電極と前記第2電極とが第1の前記位置と第2の前記位置とで交互に入れ替えられて配置され、
前記表示行のいずれにおいても、前記第1の位置にある前記第1電極が第1の前記第1電極群を形成すると共に、前記第２の位置にある前記第1電極が第２の前記第1電極群を形成し、
奇数番目の前記表示行の第１の前記第1電極群を形成する前記第1電極は、互いに第１のトレース電極で接続され、奇数番目の前記表示行の第２の前記第１電極群を形成する前記第1電極は、互いに第２のトレース電極で接続され、偶数番目の前記表示行の第１の前記第1電極群を形成する前記第1電極は、互いに第３のトレース電極で接続され、偶数番目の前記表示行の第２の前記第１電極群を形成する前記第1電極は、互いに第４のトレース電極で接続され、
前記第１の電圧印加手段は、第１乃至第４の前記トレース電極への前記電圧の印加時刻を異ならしめて構成されていることを特徴とする請求項９、１０又は１１記載のプラズマディスプレイパネルの駆動装置。
【請求項１６】
前記プラズマディスプレイパネルの水平方向毎の前記表示セルの各々が表示行を構成し、
奇数番目の前記表示行を構成する各前記表示セルの前記第３電極間の中央に、偶数番目の前記表示行の前記第３電極が配置され、
前記表示行のいずれも、奇数番目の前記表示セルと偶数番目の前記表示セルとで前記表示セルの前記第１電極と前記第２電極とが第１の位置と第２の位置とで交互に入れ替えられて配置され、かつ、１行置きの前記表示行毎に、前記表示セルの前記第1電極と前記第2電極とが第1の前記位置と第2の前記位置とで交互に入れ替えられて配置され、
前記表示行のいずれにおいても、前記第1の位置にある前記第1電極が第1の前記第1電極群を形成すると共に、前記表示行の前記第２の位置にある前記第1電極が第２の前記第1電極群を形成し、
奇数番目の前記表示行の第１の前記第1電極群を形成する前記第1電極は、互いに第１のトレース電極で接続され、奇数番目の前記表示行の第２の前記第１電極群を形成する前記第1電極は、互いに第２のトレース電極で接続され、偶数番目の前記表示行の第１の前記第1電極群を形成する前記第1電極は、互いに第３のトレース電極で接続され、偶数番目の前記表示行の第２の前記第１電極群を形成する前記第1電極は、互いに第４のトレース電極で接続され、
前記第１の電圧印加手段は、第１乃至第４の前記トレース電極に前記電圧を同時に印加するように構成され、
同時に前記電圧が印加される前記第１電極を有する前記表示セルの前記第３電極はいずれも異なることを特徴とする請求項９、１０又は１１記載のプラズマディスプレイパネルの駆動装置。
【請求項１７】
第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列され、複数の前記表示セルのうちの所定の前記表示セルの前記第１電極は、当該表示セルと互いに線状に隣接するいずれの前記表示セルの前記第１電極とも電気的に接続されないように構成されているプラズマディスプレイパネルにおいて、
前記第１電極に選択的に電圧を印加し、
前記第３電極に選択的に電圧を印加し、
前記第１電極への電圧の印加と前記第３電極への電圧の印加とによって前記第１電極と前記第３電圧との間で発生される放電の有無により前記第１電極と前記第２電極との間で表示のための放電を制御するプラズマディスプレイパネルの駆動方法であって、
所定の前記表示セルの前記第１電極への前記電圧の印加時刻と、所定の前記表示セルと互いに線状に隣接するいずれの前記表示セルの前記第１電極への前記電圧の印加時刻とを異ならしめたことを特徴とするプラズマディスプレイパネルの駆動方法。
【請求項１８】
第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列され、かつ、複数の前記第１電極が複数の第１電極群に区分され、同一の前記第１電極群に属する前記第１電極同士は互いに電気的に接続される一方、異なる前記第１電極群に属する前記第１電極同士は電気的に接続されてないように構成されると共に、互いに線状に隣接する２つの前記表示セルの前記第１電極同士が、互いに異なる前記第１電極群に属する構成とされているプラズマディスプレイパネルにおいて、
前記第１電極に選択的に電圧を印加し、
前記第３電極に選択的に電圧を印加し、
前記第１電極への電圧の印加と前記第３電極への電圧の印加とによって前記第１電極と前記第３電圧との間で発生される放電の有無により前記第１電極と前記第２電極との間で表示のための放電を制御するプラズマディスプレイパネルの駆動方法であって、
互いに異なる前記第１電極群のうちの一方の前記第１電極群の前記第１電極への前記電圧の印加時刻と、互いに異なる前記第１電極群のうちの他方の前記第１電極群の前記第１電極への前記電圧の印加時刻とを異ならしめたことを特徴とするプラズマディスプレイパネルの駆動方法。
【請求項１９】
前記電圧が印加される同一の前記第1電極群の前記第1電極を含む前記表示セルの前記第３電極は、いずれも異ならしめたことを特徴とする請求項１８記載のプラズマディスプレイパネルの駆動方法。
【請求項２０】
複数の前記第１電極群のうちの所定数の前記第１電極群の前記第１電極に同時に前記電圧を印加し、
同時に前記電圧が印加される前記第１電極を有する前記表示セルの前記第３電極はいずれも異ならしめたことを特徴とする請求項１９記載のプラズマディスプレイパネルの駆動方法。
【発明の詳細な説明】
【技術分野】
【０００１】
この発明は、プラズマディスプレイパネル並びにその駆動装置及び方法に関し、詳しくはいずれの表示セルの主放電ギャップを形成する電極のいずれか一方と当該表示セルと境界部を共有する表示セルの対応する電極とを電気的に別個に接続するプラズマディスプレイパネル並びにその駆動方法及び装置に関する。
【背景技術】
【０００２】
従来のプラズマディスプレイパネルの第1の例、例えば、特許文献１に記載される例について図１７を参照して説明する。図１７は、特許文献１に記載されるプラズマディスプレイパネルの部分断面図を示す。
このプラズマディスプレイパネルには、ガラスから成る２枚の絶縁基板、すなわち、前面基板５０と背面基板５２が設けられている。
【０００３】
前面基板５０上には、透明な走査電極５４m（ｍ＝１、２、…、Ｍのうちの１つ）及び維持電極５６mが平行して形成され、これらの各電極５４m、５６mの上に各別に金属製のトレース電極５８Ｓm、５８Ｃmが形成されている。トレース電極５８Ｓm、５８Ｃmの各々は、対応する電極である走査電極５４mと維持電極５６mの電気的抵抗値を小さくするためのものである。
走査電極５４m、維持電極５６m及びトレース電極５８Ｓm、５８Ｃmを覆うように第1の誘電体層６０が設けられ、この誘電体層６０の上に誘電体層６０を放電から保護する酸化マグネシウム等から成る保護層６２が形成されている。
【０００４】
背面基板５２上には、走査電極５４m及び維持電極５６mと直交して延びるデータ電極６４n（ｎ＝１、２、…、Ｎのうちの１つ）が形成されている。そして、データ電極６４nを覆うように第２の誘電体層６６が形成されている。誘電体層６６上にはデータ電極６４nと平行して延び、表示の単位となる表示セルを区切る隔壁６８が形成されている。
さらに、隔壁６８の側面及び誘電体層６６上であって隔壁６８が形成されていない表面上に蛍光体層７０が形成されている。この蛍光体層７０は、放電ガスの放電により発生する紫外線を可視光線に変換するもので、３原色であるＲ、Ｇ、Ｂに塗り分けて形成されている。
【０００５】
そして、前面基板５０上の保護層６２と背面基板５２上の蛍光体層７０とによって区画される空間は放電空間７２であり、この放電空間７２にはヘリウム、ネオン及びキセノン等又はこれらの混合ガスが充填される。
このように構成されたプラズマディスプレイパネルにおいては、走査電極５４mと維持電極５６mとの間で面放電８０が発生する。
【０００６】
図１８は、図１７に示すプラズマディスプレイパネルを表示面側から見た平面図である。
図１８に示す走査電極５４mと隣接する２本の維持電極５６m、５６(m+1)との間に形成される２つの間隙のうちの一方が、放電を行う主放電ギャップＭＧであり、他方は放電を行わない非放電ギャップＳＧである。
したがって、表示の単位である表示セル、例えば、表示セル７４m(n-1)は、非放電ギャップＳＧと隔壁６８とによって規定される。
非放電ギャップＳＧは、上下に隣接する表示セルの放電の干渉を避けるために広く設定され、そのギャップ間隔は、通常主放電ギャップＭＧのギャップ間隔の３乃至５倍程度とすることが多い。
【０００７】
次に、従来のプラズマディスプレイパネルの第2の例、例えば、特許文献２に記載される例について図１９を参照して説明する。
図１９は、特許文献２に記載されるプラズマディスプレイパネルを表示面側から見た平面図である。
この図には、プラズマディスプレイパネル全体を示していないが、基本的な構成要素は、以下に述べるように、図１７に示す第１の例のプラズマディスプレイパネルと同じであり、同一の構成要素には同一の符号を付してある。
【０００８】
この第2の例でのプラズマディスプレイパネルと上記第1の例でのプラズマディスプレイパネルとの違いは、走査電極５４mn及び維持電極５６mnが表示セル７４mn毎に独立して形成されていること、同一表示行５５mの走査電極５４mnがトレース電極５８Ｓmで接続され、かつ、維持電極５６mnがトレース電極５８Ｃmで接続されていること、隣り合う表示行、例えば、表示行５５mと表示行５５(m+1)とで走査電極と維持電極とが入れ替っていること、隔壁６８が同一表示行５５ｍの走査電極５４mn及び維持電極５６mnが延びる方向と直交する方向だけでなく、平行な方向にも形成され井桁状の構造になっていることである。
【０００９】
この隔壁６８が井桁状に形成されていることが最も大きな違いで、これにより、上下に隣接する表示セル、例えば、表示セル７４mnと表示セル７４(m+1)nとの間での放電干渉が抑制でき、非放電ギャップＳＧを狭くして電極面積を広く取ることが可能になる。
電極面積の拡大によって、放電電流の増大が図れて高輝度での表示が可能になる。
また、表示行毎に、走査電極と維持電極とが入れ替っていることにより、隣り合う表示行間で走査電極と維持電極との間に形成される容量成分を低減させることができる。
【００１０】
従来のプラズマディスプレイパネルの第３の例、例えば、特許文献３に記載される例について図２０を参照して説明する。
図２０は、特許文献３に記載されるプラズマディスプレイパネルを表示面側から見た平面図である。
この図には、プラズマディスプレイパネル全体を示していないが、基本的な構成要素は、図１７に示す第１の例のプラズマディスプレイパネルと同じであり、同一の構成要素には同一の符号を付してある。
【００１１】
この第３の例のプラズマディスプレイパネルと上記第１及び第２の例のプラズマディスプレイパネルとの最も大きな違いは、表示セルの配置にあり、表示セルは略６角形である。
隣り合う表示行の走査電極及び維持電極の位置は交互に入れ替えて配置され、各表示セル７４mnの走査電極５４mnと維持電極５６mnとの間の間隙とデータ電極６４nとの交点は当該表示セル７４mnの略中央部にある。
【００１２】
また、同一のデータ電極６４nに属する表示セルには、同一の発光色を示す蛍光体層７０（図２０には図示せず、図１７参照）が形成されているので、電気的に、例えば、トレース電極５８Ｓmで接続された走査電極５４mn、５４(m+1)(n+1)、５４m(n+2)、…を有し、隣り合う３原色光の表示セルは３角形に並ぶことになる。
このような並び方から、第３の例の表示セルの配列を第１及び第２の例に示すストライプ配列に対して３角配列又はデルタ配列と呼ぶ。
デルタ配列では、走査電極５４mnと維持電極５６mnの両側が主放電ギャップＭＧとなるため、非放電ギャップＳＧは存在しない。
【００１３】
従来のプラズマディスプレイパネルの第４の例、例えば、特許文献４に記載されるものについて図２１を参照して説明する。
図２１は、特許文献４に記載されるプラズマディスプレイパネルを表示面側から見た平面図である。
この図には、プラズマディスプレイパネル全体を示していないが、基本的な構成要素は、以下に述べるように、図１７に示す第１の例のプラズマディスプレイパネルと同じであり、同一の構成要素には同一の符号を付してある。
【００１４】
図２１に示すプラズマディスプレイパネルは、隣り合う表示行５５mの表示セルが表示行方向においてずれて配置されている点に、上記各例のプラズマディスプレイパネルと大きな相違がある。
この構造は、後述する隣接する表示セル間での放電による干渉を少なくし得る構造となっている。
【００１５】
次に、上記第１乃至第４の例に示すプラズマディスプレイパネルに共通する駆動方法及び輝度制御方法について説明する。
図２２は、従来の駆動方法でプラズマディスプレイパネルの各電極に印加される電圧パルスのタイミングチャートである。また、図２２には、１つのサブフィールドについてのみ示すが、プラズマディスプレイパネルはサブフィールドの繰り返しで駆動される。
【００１６】
１つのサブフィールドは、４つの期間、すなわち、予備放電期間Ａ、選択操作期間Ｂ、維持期間Ｃ及び維持消去期間Ｄから成る。予備放電期間Ａは、これに続く選択操作期間Ｂでの放電を起こし易くする期間であり、選択操作期間Ｂは、各表示セルのオン／オフを選択する期間であり、維持期間Ｃは、選択された全ての表示セルで表示放電を行わせる期間であり、維持消去期間Ｄは、表示放電を停止させる期間である。
なお、従来の駆動方法においては、第１の例では走査電極５４m、また、第２乃至第４の例では走査電極５４mn及び第１の例では維持電極５６m、また、第２乃至第４の例では維持電極５６mn（以下、煩雑さを避けるため、第２乃至第４の例の走査電極５４mn及び維持電極５６mnについて説明する）で形成される面電極の基準電位を、維持期間Ｃにおいて放電を維持するための維持電圧Ｖosとしている。
したがって、走査電極５４mn及び維持電極５６mnに印加される電圧パルスが、維持電圧Ｖosより高い電圧にあるものを正極性のパルスと表現し、低い電圧にあるものを負極性のパルスと表現する。
また、データ電極６４nの電位は接地電位ＧＮＤ（０ボルト）を基準とする。
【００１７】
先ず、予備放電期間Ａにおいて、走査電極５４mnに正極性で鋸歯状の予備放電パルスＰopsを印加すると同時に、維持電極５６mnに負極性で矩形の予備放電パルスＰopcを印加する。予備放電パルスの波高値は、走査電極５４mnと維持電極５６mnとの間の放電開始電圧を超える値に設定して置く。
したがって、予備放電パルスＰops及びＰopcを対応する電極に印加すると、鋸歯状の予備放電パルスＰopsの電圧が上昇して両電極間の電圧が放電開始電圧を超えた時点から走査電極５４mnと維持電極５６mnとの間に弱い放電が発生する。
これによって、走査電極５４mn上に負の壁電荷が形成され、維持電極５６mn
上に正の壁電荷が形成される。
【００１８】
走査電極５４mnへの正極性で鋸歯状の予備放電パルスＰopsの印加に続いて、走査電極５４mnに負極性で鋸歯状の予備放電パルスＰopeが印加される一方、維持電極５６mnの電位は維持電圧Ｖosに保持される。
予備放電パルスＰopeの印加により、走査電極５４mn及び維持電極５６mn上に形成された壁電荷が消去される。
なお、予備放電期間Ａにおける壁電荷の消去には、選択操作期間Ｂ及び維持期間Ｃ等の後続の工程（処理ステップ）における動作を首尾良く遂行させるための壁電荷の調整も含まれる。
【００１９】
予備放電期間Ａに続く選択操作期間Ｂに入ると、全ての走査電極５４mnを一旦ベース電位Ｖobwに保持した後、表示行５５mに属する全走査電極５４mn毎に、線順次で走査パルスＰowを印加する。この走査パルスＰowが印加されている走査電極５４mnに対応するデータ電極６４nに、順次、表示データ（画素データ）に応じたデータパルスＰodが印加される。
この走査電極５４mnへの走査パルスＰowの印加とデータ電極６４nへのデータパルスＰodの印加は、それぞれ、集積回路により構成された走査ドライバ及び維持ドライバ（共に図示せず）によって表示行５５m毎に個別に制御される。
また、走査パルスＰow及びデータパルスＰodが印加される間、維持電極５６mnは、正極性の電位Ｖoswに保持される。
【００２０】
なお、走査パルスＰow及びデータパルスＰodの到達電位は、走査電極５４mnとデータ電極６４nとの対向電極において、走査パルスＰow及びデータパルスＰodのいずれかの単独の印加では走査電極５４mnとデータ電極６４nとの間の対向電極電圧が放電開始電圧を超えず、両パルスが重畳して印加されたときに放電開始電圧を超えるように設定されている。
また、選択操作期間Ｂにおいて維持電極５６mnに印加保持されている電位Ｖoswは、たとえ走査パルスＰowが走査電極５４mnに印加されたとしても、走査電極５４mnと維持電極５６mnとの間の面電極電圧が放電開始電圧を超えないように設定されている。
ここでいう対向電極電圧も、また、面電極電圧も、外部から対応電極に印加される電位差のみでなく、当該表示セル７４mn内部に形成された壁電荷によって発生する壁電圧を含めたものである。
【００２１】
したがって、走査パルスＰowとデータパルスＰodとが同時的に印加された表示セル、例えば、表示セル７４mnにおいてのみ、表示セル７４mnの走査電極５４mnとデータ電極６４nとの間で対向放電が発生する。
この対向放電が発生するとき、走査電極５４mnと維持電極５６mnとの間に走査パルスＰow及び電位Ｖoswによる電位差が与えられているから、対向放電をトリガとして走査電極５４mnと維持電極５６mnとの間にも面放電が発生する。この放電が書込み放電となる。
これにより、選択された表示セル７４mnにおいて、走査電極５４mn上に正の壁電荷が形成され、維持電極５６mn上に負の壁電荷が形成される。
【００２２】
選択操作期間Ｂが終了して維持期間Ｃに入ると、全ての走査電極５４mnの電位が維持電圧Ｖ osに保持される一方、維持電極５６mnに波高値が維持電圧Ｖosで負極性の第１の維持パルスＰosfが印加される。
維持電圧Ｖosは、選択操作期間Ｂにおいて発生された書込み放電によって面電極上に壁電荷が形成されており、この壁電荷による壁電圧に維持電圧Ｖosが重畳された場合には当該表示セル、例えば、表示セル７４mnの走査電極５４mnと維持電極５６mnとの間で面放電が発生するが、上記の壁電荷の形成がない表示セルではその走査電極と維持電極との間の面電極電圧が放電開始電圧を超えず、これら両電極間で面放電が発生しないような電圧に設定されている。
【００２３】
したがって、選択操作期間Ｂにおいて、書込み放電が発生して壁電荷が形成された表示セルにおいてのみ、維持放電が発生する。
維持期間Ｃにおいて、上記第１の維持パルスＰosfの印加に続いて、走査電極５４mnと維持電極５６mnとに波高値が維持電圧Ｖosで互いに位相が反転した負極性の維持パルスＰosが印加される。
これにより、第１の維持パルスＰosfで維持放電が発生した表示セルでのみ維持放電が継続して発生する。
【００２４】
維持期間Ｃが終了して維持消去期間Ｄに入ると、維持電極５６mnの電圧が維持電圧Ｖosに保持される一方、走査電極５４mnに負極性で鋸歯状の維持消去パルスＰoeが印加される。
この工程により、面電極上の壁電圧が消去されて初期状態、すなわち、予備放電期間Ａにおいて予備放電パルスＰops及びＰopcが印加される前の状態に戻る。
なお、維持消去期間Ｄにおける壁電荷の消去には、次の工程における動作が首尾良く遂行させ得るための壁電圧の調整も含まれる。
【００２５】
なお、上記の説明では選択操作期間Ｂと維持期間Ｃとが分離されている方式について説明した。
これ以外にも、これらの動作が時間的に混合されている駆動方式も採用されているが、個別の表示セルから見れば、予備放電後に、選択操作、そして維持放電が行われることは同様である。
また、ストライプ配列とデルタ配列の各方式については、表示セルの配置が異なるものの、個々の表示セルが走査電極、維持電極及びデータ電極の３つの電極で構成されるという点では変わりはなく、いずれも同様の駆動形態を適用することは可能である。
【００２６】
次に、従来のプラズマディスプレイパネルの輝度制御方法、例えば、特許文献２に記載の輝度制御方法について説明する。
プラズマディスプレイパネルにおいて階調表現を行うためにサブフィールド法が用いられる。これは、ＡＣ型プラズマディスプレイパネルでは発光の輝度を電圧変調で行うことは困難であり、輝度変調には発光回数を変える必要があるためである。
サブフィールド法は、階調性のある一枚の画像を複数の２値表示画像に分解してこれらの２値表示画像を高速に連続して表示し、視覚の積分効果により多階調の画像として再現するものである。
【００２７】
すなわち、一枚の画像は、通常１／６０秒で表示され、これを１フィールドと呼ぶ。この画像の各画素に対して２５６段階の階調を与えようとする場合に、１フィールドを８サブフィールドに分割し、その各サブフィールドに１：２：４：８：１６：３２：６４：１２８の比率の輝度を与える。
そして、入力信号の８ビットの輝度レベルに応じて発光させるサブフィールドを選択して階調の表現を可能にしている。
各サブフィールドは、図２２に示すように、予備放電期間Ａ乃至維持消去期間Ｄによって構成され、各サブフィールドの輝度は維持期間Ｃでの維持サイクル数を変えることにより設定される。なお、駆動形態により、予備放電期間Ａが省略される場合もある。
【００２８】
また、特許文献５に示すように、分割するサブフィールドの数を階調を表現するビット数よりも多くし、冗長性を持たせる方式もある。この方式は、プラズマディスプレイパネルに特有な表示妨害である動画擬似輪郭を抑制する上で有効な手段となる。
【００２９】
また、上述の各特許文献においては、各表示セルは隔壁によって区切られている。この隔壁は、選択された表示セルで発生する放電による干渉を抑制するためのものである。
しかしながら、隔壁によっても、上記放電による干渉を完全に抑制することはできず、書込み放電が発生した表示セルに隣接する表示セルはより放電が発生し易い状態に置かれるということが、非特許文献１において指摘されている。
【特許文献１】特開２００２−２５８７９４号公報
【特許文献２】特開２００２−４２６６１号公報
【特許文献３】特開平６−４４９０７号公報
【特許文献４】特開２００１−１３５２４２号公報
【特許文献５】特開２０００−３２２０２５号公報
【非特許文献１】Ｍ．Ｍakino etal．，Ａsia Ｄisply/ＩＤＷ′０１，p809(2001)
【発明の開示】
【発明が解決しようとする課題】
【００３０】
上述したように、従来のプラズマディスプレイパネルの駆動方法における選択操作期間Ｂの動作において、走査パルスＰowとデータパルスＰodとが印加された表示セルの走査電極とデータ電極との間で対向放電が発生する。
しかしながら、この対向放電は、必ず、発生するものではなく、或る放電確率に応じて発生する。
その放電確率を決定する要素は様様であるが、その１つに電極間の電位差がある。電極間の電位差が大きいほど放電確率は高くなり、確実な表示動作を行うことが可能になる。
【００３１】
したがって、電極間の電位差を大きくする手段として、データパルスＰodが印加されいない状態、すなわち、走査パルスＰowのみが印加された状態において、走査電極とデータ電極との間の電位差が放電開始電圧となるように予備放電期間Ａで壁電荷の調整を行う方法が採用されている。
【００３２】
また、上記対向放電が発生したとき、この対向放電をトリガとして発生する走査電極と維持電極との間の面放電についても同様のことが言える。
この面放電を確実に発生させるために、走査パルスＰowが印加された走査電極とこれと面電極を成す維持電極との間の電位差をこれら両電極間の放電開始電圧となるように予備放電期間Ａで壁電荷の調整が行われる。
【００３３】
上記特許文献１乃至特許文献４に記載されるいずれのプラズマディスプレイパネルにおいても、予備放電期間Ａにおいて上述の壁電荷の調整が行われて確実な表示動作を行い得るようにしているが、このような調整を行うことにより、本来発生してはならない誤放電が発生してしまうという技術的問題がある。
【００３４】
例えば、特許文献１に記載されるプラズマディスプレイパネルにおいて、表示行５５mの各走査電極５４mnにトレース電極５８Ｓmを介して走査パルスＰowを印加して選択操作を行う際の選択セルがデータ電極６４(n-1)及びデータ電極６４(n+1)との交点に位置する表示セル７４m(n-1)及び表示セル７４m(n+1)であり、データ電極６４nとの交点に位置する表示セル７４mnは非選択セルであるとしたとき、走査パルスＰowと同期してデータパルスＰodが順次のタイミングでデータ電極６４(n-1)及びデータ電極６４(n+1)には印加されるが、データ電極６４nには印加されない。
したがって、上述の書込み放電が表示セル７４m(n-1)及び表示セル７４m(n+1)に発生する。
【００３５】
このような書込み放電が発生したとき、この書込み放電による干渉が表示セル７４mnで発生しないように隔壁６８によって各表示セルは区切られているとはいうものの、この隔壁６８によるだけでは、上記干渉を完全に抑制することはできず、書込み放電が発生した表示セルと境界部を共有する隣接の表示セルでも放電が発生し易い状態になるということは、上述の非特許文献１において指摘されている通りである。
【００３６】
そして、上述したように、従来の駆動方法によれば、予備放電期間Ａでの壁電荷の調整が、走査パルスＰowのみが印加された状態において、走査電極と維持電極との間の電位差が放電開始電圧となるようにして行われているから、上述の書込み放電が発生した表示セル７４m(n-1)及び表示セル７４m(n+1)と隣接する表示セル７４mnにも走査パルスＰowが印加される状態においては、当該表示セル７４mnの走査電極５４mnとデータ電極６４nとの間の電位差も、また、走査電極５４mnと維持電極５６mnとの間の電位差も放電開始電圧になっており、最も放電が発生し易い状態にあると言える。
【００３７】
したがって、表示セル７４m(n-1)及び表示セル７４m(n+1)で書込み放電が発生すると、放電干渉により表示セル７４mnでも放電が発生してしまうことがある。
このようにして発生する放電は誤放電であり、この誤放電による発光は、本来不要の発光であるから、誤点灯として表示品質の低下を招来する。
【００３８】
上述したように、隣接する表示セルに同時に走査パルスが印加される状態は、特許文献３に記載されるプラズマディスプレイパネルのようにデルタ配列になっている場合にも同様に生ずる。
デルタ配列の場合には、最大４個の隣接する表示セルからの干渉を受ける可能性がある。
【００３９】
また、上述した特許文献４に記載されるプラズマディスプレイパネルの構造においては、非放電ギャップと隔壁６８により規定される表示セル７４mnの区分は、図２１中に点線で示したようになる。
したがって、このような構造においても、隣接する表示セルに走査パルスが同時に印加されることになるから、上述した技術的問題である誤点灯が発生する虞れがあることには変わりはない。
【００４０】
この発明は、上述の事情に鑑みてなされたもので、選択された表示セルに隣接する表示セルでの誤放電を抑制し得るプラズマディスプレイパネル並びにその駆動装置及び方法を提供することを目的としている。
【課題を解決するための手段】
【００４１】
上記課題を解決するために、請求項１記載の発明は、第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列されているプラズマディスプレイパネルに係り、複数の前記表示セルのうちの所定の前記表示セルの前記第１電極は、当該表示セルと互いに線状に隣接するいずれの前記表示セルの前記第１電極とも電気的に接続されていないことを特徴としている。
【００４２】
請求項２記載の発明は、第１の基板と第２の基板とを所定の間隔を隔てて対向させ、上記第１の基板の一方の面であって上記第２の基板と対向する側の面に複数の第１電極と、該第１電極との間に表示のための放電を行う放電ギャップを有する複数の第２電極とをそれぞれ配置すると共に、上記第２の基板の一方の面であって上記第１の基板と対向する側の面に上記第１電極及び上記第２電極と直交される第３電極を配置することで、各１つの上記第1電極と上記第2電極と上記第３電極とからなる表示セルが複数個２次元的に配列され、かつ、複数の上記第１電極が複数の第１電極群に区分され、同一の上記第１電極群に属する上記第１電極同士は互いに電気的に接続される一方、異なる上記第１電極群に属する上記第１電極同士は電気的に接続されてないように構成されているプラズマディスプレイパネルであって、互いに線状に隣接する２つの上記表示セルの上記第１電極同士が、互いに異なる上記第１電極群に属する構成とされていることを特徴としている。
【００４３】
請求項３記載の発明は、請求項２記載のプラズマディスプレイパネルに係り、上記プラズマディスプレイパネルの水平方向毎の上記表示セルの各々が表示行を構成し、上記表示行のいずれも、奇数番目の上記表示セルと偶数番目の上記表示セルとで上記表示セルの上記第１電極と上記第２電極とが第１の位置と第２の位置とで交互に入れ替えられて配置され、第1の上記表示行の第1の上記位置にある上記第1電極が第1の上記表示行の第1の上記第1電極群を形成すると共に、第１の上記表示行の第２の上記位置にある上記第1電極が第1の上記表示行の第２の上記第1電極群を形成し、複数の上記表示行のうちの第１の上記表示行の第1の上記第1電極群を形成する上記第1電極は、第1の上記表示行の第1の上記第1電極群と隣り合う第2の上記表示行の第2の上記第1電極群を形成する上記第1電極であって垂直方向において第1の上記表示行の第1の上記第1電極群を形成する上記第1電極の間に位置する上記第1電極と第１のトレース電極で接続され、第１の上記表示行の第２の上記第1電極群を形成する上記第1電極は、第1の上記表示行の第２の上記第1電極群と隣り合う第３の上記表示行の第１の上記第1電極群を形成する上記第1電極であって垂直方向において第1の上記表示行の第1の上記第1電極群を形成する上記第1電極の間に位置する上記第1電極と第２のトレース電極で接続されていることを特徴としている。
【００４４】
請求項４記載の発明は、請求項２記載のプラズマディスプレイパネルに係り、上記プラズマディスプレイパネルの水平方向毎の上記表示セルの各々が表示行を構成し、上記表示行の各上記表示セルの上記第1電極は、いずれも、同一の上記表示行内の第1の位置に配置され、かつ、上記第2電極は、いずれも、同一の上記表示行内の第2の位置に配置されると共に、上記表示行毎に上記表示セルの上記第1電極と上記第2電極とが上記表示セル毎に入れ替えられて配置され、上記表示行のいずれにおいても奇数番目の上記第1電極が第１の上記第1電極群を構成し、偶数番目の上記第1電極が第２の上記第１電極群を構成し、複数の表示行のうちの第1の上記表示行の第１の上記第１電極群を形成する上記第1電極は、第１の上記表示行の第１の上記第１電極群と隣り合う第2の上記表示行の第２の上記第１電極群を形成する上記第1電極であって垂直方向において第1の上記表示行の第１の上記第１電極群を形成する上記第１電極の間に位置する上記第１電極と第１のトレース電極で接続され、第1の上記表示行の第２の上記第１電極群を形成する上記第1電極は、第２の上記表示行の第２の上記第１電極群を形成する上記第1電極であって垂直方向において第1の上記表示行の第１の上記第１電極群を形成する上記第１電極間に位置する上記第１電極と第２のトレース電極で接続されていることを特徴としている。
【００４５】
請求項５記載の発明は、請求項２記載のプラズマディスプレイパネルに係り、上記プラズマディスプレイパネルの水平方向毎の上記表示セルの各々が表示行を構成し、上記表示行のいずれも、奇数番目の上記表示セルと偶数番目の上記表示セルとで上記表示セルの上記第１電極と上記第２電極とが第１の位置と第２の位置とで交互に入れ替えられて配置され、第1の上記表示行の第1の上記位置にある上記第1電極が第1の上記表示行の第1の上記第1電極群を形成すると共に、第１の上記表示行の第２の上記位置にある上記第1電極が第1の上記表示行の第２の上記第1電極群を形成し、第１の上記第１電極群の各上記第１電極は、互いに第１のトレース電極で接続され、第1の上記表示行の第２の上記第１電極群の各上記第１電極は、互いに第２のトレース電極で接続されていることを特徴とする。
【００４６】
請求項６記載の発明は、請求項２記載のプラズマディスプレイパネルに係り、
上記プラズマディスプレイパネルの水平方向毎の上記表示セルの各々が表示行を構成し、奇数番目の上記表示行を構成する各上記表示セルの上記第３電極間の中央に、偶数番目の上記表示行の上記第３電極が配置され、上記表示行のいずれも、奇数番目の上記表示セルと偶数番目の上記表示セルとで上記表示セルの上記第１電極と上記第２電極とが第１の位置と第２の位置とで交互に入れ替えられて配置され、かつ、１行置きの上記表示行毎に、上記表示セルの上記第1電極と上記第2電極とが第1の上記位置と第2の上記位置とで交互に入れ替えられて配置され、上記表示行のいずれにおいても、第1の上記位置にある上記第1電極が第1の上記第1電極群を形成すると共に、第２の上記位置にある上記第1電極が第２の上記第1電極群を形成し、奇数番目の上記表示行の第１の上記第1電極群を形成する上記第1電極は、互いに第１のトレース電極で接続され、奇数番目の上記表示行の第２の上記第１電極群を形成する上記第1電極は、互いに第２のトレース電極で接続され、偶数番目の上記表示行の第１の上記第1電極群を形成する上記第1電極は、互いに第３のトレース電極で接続され、偶数番目の上記表示行の第２の上記第１電極群を形成する上記第1電極は、互いに第４のトレース電極で接続されていることを特徴としている。
【００４７】
請求項７記載の発明は、請求項２乃至６のいずれか一に記載のプラズマディスプレイパネルに係り、同一の上記第1電極群の上記第1電極を含む上記表示セルの上記第３電極は、上記表示セル毎に別個の上記第３電極であることを特徴とする。
【００４８】
請求項８記載の発明は、第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列されているプラズマディスプレイパネルと、前記第１電極に選択的に電圧を印加する第１の電圧印加手段と、前記第３電極に選択的に電圧を印加する第２の電圧印加手段と、前記第１の電圧印加手段による前記第１電極への電圧の印加と前記第２の電圧印加手段による前記第３電極への電圧の印加とによって前記第１電極と前記第３電圧との間で発生される放電の有無により前記第１電極と前記第２電極との間で表示のための放電を制御する放電制御手段とを備えたプラズマディスプレイパネルの駆動装置であって、複数の前記表示セルのうちの所定の前記表示セルの前記第１電極は、当該表示セルと互いに線状に隣接するいずれの前記表示セルの前記第１電極とも電気的に接続されないように構成され、前記第１の電圧印加手段は、所定の前記表示セルの前記第１電極への前記電圧の印加時刻と、所定の前記表示セルと互いに線状に隣接するいずれの前記表示セルの前記第１電極への前記電圧の印加時刻とを異ならしめて構成されることを特徴としている。
【００４９】
請求項９記載の発明は、第１の基板と第２の基板とを所定の間隔を隔てて対向させ、上記第１の基板の一方の面であって上記第２の基板と対向する側の面に複数の第１電極と、該第１電極との間に表示のための放電を行う放電ギャップを有する複数の第２電極とをそれぞれ配置すると共に、上記第２の基板の一方の面であって上記第１の基板と対向する側の面に上記第１電極及び上記第２電極と直交される第３電極を配置することで、各１つの上記第1電極と上記第2電極と上記第３電極とからなる表示セルが複数個２次元的に配列され、かつ、複数の上記第１電極が複数の第１電極群に区分され、同一の上記第１電極群に属する上記第１電極同士は互いに電気的に接続される一方、異なる上記第１電極群に属する上記第１電極同士は電気的に接続されてないように構成されているプラズマディスプレイパネルと、上記第１電極に選択的に電圧を印加する第１の電圧印加手段と、上記第３電極に選択的に電圧を印加する第２の電圧印加手段と、上記第１の電圧印加手段による上記第１電極への電圧の印加と上記第２の電圧印加手段による上記第３電極への電圧の印加とによって上記第１電極と上記第３電圧との間で発生される放電の有無により上記第１電極と上記第２電極との間で表示のための放電を制御する放電制御手段とを備えたプラズマディスプレイパネルの駆動装置に係り、互いに線状に隣接する２つの上記表示セルの上記第１電極同士が、互いに異なる上記第１電極群に属する構成とされ、上記第１の電圧印加手段は、互いに異なる上記第１電極群のうちの一方の上記第１電極群の上記第１電極への上記電圧の印加時刻と、互いに異なる上記第１電極群のうちの他方の上記第１電極群の上記第１電極への上記電圧の印加時刻とを異ならしめて構成されることを特徴としている。
【００５０】
請求項１０記載の発明は、請求項９記載のプラズマディスプレイパネルの駆動装置に係り、上記第１の電圧印加手段は、互いに異なる複数の上記第１電極群のうちの所定数の上記第１電極群を形成する上記第１電極に同時に上記電圧を印加するように構成され、同時に上記電圧が印加される上記第１電極を有する上記表示セルの上記第３電極はいずれも異なることを特徴としている。
【００５１】
請求項１１記載の発明は、請求項９又は１０記載のプラズマディスプレイパネルの駆動装置に係り、同一の上記第1電極群の上記第1電極を含む上記表示セルの上記第３電極は、上記表示セル毎に別個の上記第３電極であることを特徴としている。
【００５２】
請求項１２記載の発明は、請求項９、１０又は１１記載のプラズマディスプレイパネルの駆動装置に係り、上記プラズマディスプレイパネルの水平方向毎の上記表示セルの各々が表示行を構成し、上記表示行のいずれも、奇数番目の上記表示セルと偶数番目の上記表示セルとで上記表示セルの上記第１電極と上記第２電極とが第１の位置と第２の位置とで交互に入れ替えられて配置され、第1の上記表示行の第1の上記位置にある上記第1電極が第1の上記表示行の第1の上記第1電極群を形成すると共に、第１の上記表示行の第２の上記位置にある上記第1電極が第1の上記表示行の第２の上記第1電極群を形成し、第１の上記表示行の第1の上記第1電極群を形成する上記第1電極は、第1の上記表示行の第1の上記第1電極群と隣り合う第2の上記表示行の第2の上記第1電極群を形成する上記第1電極であって垂直方向において第1の上記表示行の第1の上記第1電極群を形成する上記第1電極の間に位置する上記第1電極と第１のトレース電極で接続され、第１の上記表示行の第２の上記第1電極群を形成する上記第1電極は、第1の上記表示行の第２の上記第1電極群と隣り合う第３の上記表示行の第１の上記第1電極群を形成する上記第1電極であって垂直方向において第1の上記表示行の第1の上記第1電極群を形成する上記第1電極の間にある上記第1電極と第２のトレース電極で接続され、上記第１の電圧印加手段は、第１の上記トレース電極への上記電圧の印加時刻と、第２の上記トレース電極への上記電圧の印加時刻とを異ならしめて構成されていることを特徴としている。
【００５３】
請求項１３記載の発明は、請求項９、１０又は１１記載のプラズマディスプレイパネルの駆動装置に係り、上記プラズマディスプレイパネルの水平方向毎の上記表示セルの各々が表示行を構成し、上記表示行の各上記表示セルの上記第1電極は、いずれも、同一の上記表示行内の第1の位置に配置され、かつ、上記第２電極は、いずれも、同一の上記表示行内の第2の位置に配置されると共に、上記表示行毎に上記表示セルの上記第1電極と上記第2電極とが上記表示セル毎に入れ替えられて配置され、上記表示行のいずれにおいても奇数番目の上記第1電極が第１の上記第1電極群を構成し、偶数番目の上記第1電極が第２の上記第１電極群を構成し、複数の表示行のうちの第1の上記表示行の第１の上記第１電極群を形成する上記第1電極は、第１の上記表示行の第１の上記第１電極群と隣り合う第2の上記表示行の第２の上記第１電極群を形成する上記第1電極であって垂直方向において第1の上記表示行の第１の上記第１電極群を形成する上記第１電極の間に位置する上記第１電極と第１のトレース電極で接続され、第1の上記表示行の第２の上記第１電極群を形成する上記第1電極は、第２の上記表示行の第１の上記第１電極群を形成する上記第1電極であって第1の上記表示行の第１の上記第１電極群を形成する上記第１電極間に位置する上記第１電極と第２のトレース電極で接続され、上記第１の電圧印加手段は、第１の上記トレース電極への上記電圧の印加時刻と、第２の上記トレース電極への上記電圧の印加時刻とを異ならしめて構成されていることを特徴とする。
【００５４】
請求項１４記載の発明は、請求項９、１０又は１１記載のプラズマディスプレイパネルの駆動装置に係り、上記プラズマディスプレイパネルの水平方向毎の上記表示セルの各々が表示行を構成し、上記表示行のいずれも、奇数番目の上記表示セルと偶数番目の上記表示セルとで上記表示セルの上記第１電極と上記第２電極とが第１の位置と第２の位置とで交互に入れ替えられて配置され、第1の上記表示行の上記第1の位置にある上記第1電極が第1の上記表示行の第1の上記第1電極群を形成すると共に、第１の上記表示行の上記第２の位置にある上記第1電極が第1の上記表示行の第２の上記第1電極群を形成し、第１の上記第１電極群の各上記第１電極は、互いに第１のトレース電極で接続され、第1の上記表示行の第２の上記第１電極群の各上記第１電極は、互いに第２のトレース電極で接続され、上記第１の電圧印加手段は、第１の上記トレース電極への上記電圧の印加時刻と、第２の上記トレース電極への上記電圧の印加時刻とを異ならしめて構成されていることを特徴としている。
【００５５】
請求項１５記載の発明は、請求項９、１０又は１１記載のプラズマディスプレイパネルの駆動装置に係り、上記プラズマディスプレイパネルの水平方向毎の上記表示セルの各々が表示行を構成し、奇数番目の上記表示行を構成する各上記表示セルの上記第３電極間の中央に、偶数番目の上記表示行の上記第３電極が配置され、上記表示行のいずれも、奇数番目の上記表示セルと偶数番目の上記表示セルとで上記表示セルの上記第１電極と上記第２電極とが第１の位置と第２の位置とで交互に入れ替えられて配置され、かつ、１行置きの上記表示行毎に、上記表示セルの上記第1電極と上記第2電極とが第1の上記位置と第2の上記位置とで交互に入れ替えられて配置され、上記表示行のいずれにおいても、上記第1の位置にある上記第1電極が第1の上記第1電極群を形成すると共に、上記第２の位置にある上記第1電極が第２の上記第1電極群を形成し、奇数番目の上記表示行の第１の上記第1電極群を形成する上記第1電極は、互いに第１のトレース電極で接続され、奇数番目の上記表示行の第２の上記第１電極群を形成する上記第1電極は、互いに第２のトレース電極で接続され、偶数番目の上記表示行の第１の上記第1電極群を形成する上記第1電極は、互いに第３のトレース電極で接続され、偶数番目の上記表示行の第２の上記第１電極群を形成する上記第1電極は、互いに第４のトレース電極で接続され、上記第１の電圧印加手段は、第１乃至第４の上記トレース電極への上記電圧の印加時刻を異ならしめて構成されていることを特徴としている。
【００５６】
請求項１６記載の発明は、請求項９、１０又は１１記載のプラズマディスプレイパネルの駆動装置に係り、上記プラズマディスプレイパネルの水平方向毎の上記表示セルの各々が表示行を構成し、奇数番目の上記表示行を構成する各上記表示セルの上記第３電極間の中央に、偶数番目の上記表示行の上記第３電極が配置され、上記表示行のいずれも、奇数番目の上記表示セルと偶数番目の上記表示セルとで上記表示セルの上記第１電極と上記第２電極とが第１の位置と第２の位置とで交互に入れ替えられて配置され、かつ、１行置きの上記表示行毎に、上記表示セルの上記第1電極と上記第2電極とが第1の上記位置と第2の上記位置とで交互に入れ替えられて配置され、上記表示行のいずれにおいても、上記第1の位置にある上記第1電極が第1の上記第1電極群を形成すると共に、上記表示行の上記第２の位置にある上記第1電極が第２の上記第1電極群を形成し、奇数番目の上記表示行の第１の上記第1電極群を形成する上記第1電極は、互いに第１のトレース電極で接続され、奇数番目の上記表示行の第２の上記第１電極群を形成する上記第1電極は、互いに第２のトレース電極で接続され、偶数番目の上記表示行の第１の上記第1電極群を形成する上記第1電極は、互いに第３のトレース電極で接続され、偶数番目の上記表示行の第２の上記第１電極群を形成する上記第1電極は、互いに第４のトレース電極で接続され、上記第１の電圧印加手段は、第１乃至第４の上記トレース電極に上記電圧を同時に印加するように構成され、同時に上記電圧が印加される上記第１電極を有する上記表示セルの上記第３電極はいずれも異なることを特徴としている。
【００５７】
請求項１７記載の発明は、第１の基板と第２の基板とを所定の間隔を隔てて対向させ、前記第１の基板の一方の面であって前記第２の基板と対向する側の面に複数の第１電極と、該第１電極との間に表示のための放電を行う放電ギャップを有する複数の第２電極とをそれぞれ配置すると共に、前記第２の基板の一方の面であって前記第１の基板と対向する側の面に前記第１電極及び前記第２電極と直交される第３電極を配置することで、各１つの前記第1電極と前記第2電極と前記第３電極とからなる表示セルが複数個２次元的に配列され、複数の前記表示セルのうちの所定の前記表示セルの前記第１電極は、当該表示セルと互いに線状に隣接するいずれの前記表示セルの前記第１電極とも電気的に接続されないように構成されているプラズマディスプレイパネルにおいて、前記第１電極に選択的に電圧を印加し、前記第３電極に選択的に電圧を印加し、前記第１電極への電圧の印加と前記第３電極への電圧の印加とによって前記第１電極と前記第３電圧との間で発生される放電の有無により前記第１電極と前記第２電極との間で表示のための放電を制御するプラズマディスプレイパネルの駆動方法に係り、所定の前記表示セルの前記第１電極への前記電圧の印加時刻と、所定の前記表示セルと互いに線状に隣接するいずれの前記表示セルの前記第１電極への前記電圧の印加時刻とを異ならしめたことを特徴としている。
【００５８】
請求項１８記載の発明は、第１の基板と第２の基板とを所定の間隔を隔てて対向させ、上記第１の基板の一方の面であって上記第２の基板と対向する側の面に複数の第１電極と、該第１電極との間に表示のための放電を行う放電ギャップを有する複数の第２電極とをそれぞれ配置すると共に、上記第２の基板の一方の面であって上記第１の基板と対向する側の面に上記第１電極及び上記第２電極と直交される第３電極を配置することで、各１つの上記第1電極と上記第2電極と上記第３電極とからなる表示セルが複数個２次元的に配列され、かつ、複数の上記第１電極が複数の第１電極群に区分され、同一の上記第１電極群に属する上記第１電極同士は互いに電気的に接続される一方、異なる上記第１電極群に属する上記第１電極同士は電気的に接続されてないように構成されると共に、互いに線状に隣接する２つの上記表示セルの上記第１電極同士が、互いに異なる上記第１電極群に属する構成とされているプラズマディスプレイパネルにおいて、上記第１電極に選択的に電圧を印加し、上記第３電極に選択的に電圧を印加し、上記第１電極への電圧の印加と上記第３電極への電圧の印加とによって上記第１電極と上記第３電圧との間で発生される放電の有無により上記第１電極と上記第２電極との間で表示のための放電を制御するプラズマディスプレイパネルの駆動方法に係り、互いに異なる上記第１電極群のうちの一方の上記第１電極群の上記第１電極への上記電圧の印加時刻と、互いに異なる上記第１電極群のうちの他方の上記第１電極群の上記第１電極への上記電圧の印加時刻とを異ならしめたことを特徴としている。
【００５９】
請求項１９記載の発明は、請求項１８記載のプラズマディスプレイパネルの駆動方法に係り、上記電圧が印加される同一の上記第1電極群の上記第1電極を含む上記表示セルの上記第３電極は、いずれも異ならしめたことを特徴としている。
【００６０】
請求項２０記載の発明は、請求項１９記載のプラズマディスプレイパネルの駆動方法に係り、複数の上記第１電極群のうちの所定数の上記第１電極群の上記第１電極に同時に上記電圧を印加し、同時に上記電圧が印加される上記第１電極を有する上記表示セルの上記第３電極はいずれも異ならしめたことを特徴としている。
【発明の効果】
【００６１】
この発明によれば、選択された表示セルに上下左右で隣接する表示セルには走査パルスは印加されず、選択された表示セルと境界部を共有する表示セルでは対向電極間の電位差も、また、面電極間の電位差も、放電開始電圧よりも十分低い電位差にあるから、それらいずれの表示セルでの誤放電を抑制することができる。
【発明を実施するための最良の形態】
【００６２】
第１の基板と第２の基板とを所定の間隔を隔てて対向させ、上記第１の基板の一方の面であって上記第２の基板と対向する側の面に複数の第１電極と、該第１電極との間に表示のための放電を行う放電ギャップを有する複数の第２電極とをそれぞれ配置すると共に、上記第２の基板の一方の面であって上記第１の基板と対向する側の面に上記第１電極及び上記第２電極と直交される第３電極を配置することで、各１つの上記第1電極と上記第2電極と上記第３電極とからなる表示セルが複数個２次元的に配列され、かつ、複数の上記第１電極が複数の第１電極群に区分され、同一の上記第１電極群に属する上記第１電極同士は互いに電気的に接続される一方、異なる上記第１電極群に属する上記第１電極同士は電気的に接続されてないように構成されているプラズマディスプレイパネルにおいて、互いに線状に隣接する２つの上記表示セルの上記第１電極同士が、互いに異なる上記第１電極群に属する構成とされる。
【実施例１】
【００６３】
図１は、この発明の実施例１であるプラズマディスプレイパネルをその表示面側から見た平面図、図２は、同プラズマディスプレイパネルの各電極と駆動回路との接続を模式的に示す図、また、図３は、同プラズマディスプレイパネルを駆動する駆動波形を示す図である。
この実施例のプラズマディスプレイパネルの駆動装置１０は、選択された表示セルと境界部を有する表示セルにおいても、また、境界部を共有しない表示セルにおいても、選択された表示セルでの書込み放電に誘発された誤放電を抑制し得る装置に係り、図１に示すように、プラズマディスプレイパネル１２を構成するＭ行、Ｎ列の表示セルの各表示セル１４mn（ｍ＝１，２，…，Ｍのうちの１つ、ｎ＝１，２，…，Ｎのうちの１つ）の走査電極２８mn及び維持電極３０mnは、それぞれ、前面基板５０（図１には図示せず、図１７を参照）上に独立して形成され、その走査電極群１６mに属する各走査電極２８mnを相互に接続するトレース電極３２mを走査ドライバ１８に接続し、各維持電極２０mnを相互に接続するトレース電極３４mを維持ドライバ２２に接続すると共に、データ電極２４nをデータドライバ２６に接続して構成されている。
【００６４】
図１には、Ｍ行、Ｎ列の表示セル１４mnを有するプラズマディスプレイパネル１２の各表示セル１４mnの構造は、走査電極２８mn及び維持電極３０mnの各々が互いに独立して形成されている点については、図１９に示すものと同じであるが、同一の表示行の奇数番目の表示セルと偶数番目の表示セルとで、それらの走査電極及び維持電極の配置が交互に入れ替わっている点と、各電極の接続態様が以下に述べるようなものである点において、異なる。
【００６５】
すなわち、独立して形成されている同一の表示行１３m内の奇数番目の走査電極の各々、例えば、２８mn，２８m(n+2)が、トレース電極３２mによって電気的に接続されると共に、上記同一の表示行１３ｍ内の偶数番目の走査電極の各々、例えば、２８m(n+1)、２８m(n+3)（図１には図示せず）、…が、次の表示行のトレース電極３２(m+1)によって電気的に接続されている。
一方、独立して形成されている同一の表示行１３m内の維持電極の各々、例えば、３０mn，３０m(n+1)、３０m(n+2)、…、が、同一の表示行１３ｍのトレース電極３４mによって電気的に接続されている。
【００６６】
走査ドライバ１８は、図１９について説明したと同様の駆動態様で走査電極群１６mの各々に線順次で走査パルスを供給する。
維持ドライバ２２は、図１９について説明したと同様の駆動態様で維持電極３０mnの各々に同時に維持パルスを供給する。
【００６７】
データドライバ２６は、走査ドライバ１８によって走査パルスＰw（図３）が走査電極群１６mに供給されるときに、奇数番目の表示行１３mの奇数番目の表示セル１４mn，１４m(n+2)，…に書き込まれるべ画像内の画素データＤmn，Ｄm(n+2)，…対応のデータパルスＰd（図３）を奇数番目の表示セル１４mn，１４m(n+2)，…のデータ電極２４n、２４(n+2)，…に供給する一方、走査ドライバ１８によって走査パルスＰwが走査電極群１６(m+1)に供給されるときに、奇数番目の表示行１３mの偶数番目の表示セル１４m(n+1)，１４m(n+3)，…に書き込まれるべ画像内の画素データＤm(n+1)，Ｄm(n+3)，…対応のデータパルスを奇数番目の表示セル１４m(n+1)，１４m(n+3)，…のデータ電極２４(n+1)、２４(n+3)，…に供給するように構成されている。
【００６８】
次に、図１乃至図３を参照して、この実施例の動作について説明する。
この実施例の駆動装置１０においても、従来のプラズマディスプレイパネルと同様に、プラズマディスプレイパネル１２に１フレームの画像を表示するのに所定数のサブフィールドが用いられる。１サブフィールドは、図３に示すように、予備放電期間Ａ、選択操作期間Ｂ、維持期間Ｃ及び維持消去期間Ｄから成る。
予備放電期間Ａは、選択操作期間Ｂにおける放電を起こし易くする期間であり、選択操作期間Ｂは、各表示セル１４mnの表示のオン／オフを選択する期間であり、維持期間Ｃは、選択された全ての表示セルでの表示放電を継続させる期間であり、維持消去期間Ｄは、表示放電を停止させる期間である。
【００６９】
予備放電期間Ａ、維持期間Ｃ及び維持消去期間Ｄは、プラズマディスプレイパネルの全ての走査電極群１６m及び維持電極３０mnに共通の期間であるが、選択操作期間Ｂは、次のように異なる。
選択操作期間Ｂにおいて、各走査電極群１６mに印加される走査パルスＰwの印加期間に１フレームの画像信号内の上記走査電極群１６m対応の走査線上の全ての画素データが、データドライバ２６から各データ電極２４ｎに順次印加される。
【００７０】
そして、以下の説明においては、プラズマディスプレイパネル１２の走査電極２８mn及び維持電極３０mnの基準電位を維持期間Ｃにおいて放電を維持するための維持電圧Ｖsとし、走査電極２８mn及び維持電極３０mnについては、維持電圧Ｖsより高い電圧を正極性と呼び、維持電圧Ｖsより低い電圧を負極性と呼ぶ。上記維持電圧Ｖsは、例えば、＋１７０Ｖ程度である。
また、データ電極２４nの電位は、設定電位ＧＮＤ（０Ｖ）とする。
【００７１】
先ず、プラズマディスプレイパネル１２の駆動装置１０の動作について、その概要を説明し、その後に、この実施例の特徴について説明する。
今、駆動装置１０における駆動が或るサブフィールドの予備放電期間Ａに入ったものとする。
走査ドライバ１８によって、全ての走査電極群１６mに正極性で鋸歯状の予備放電パルスＰpsが印加されると同時に、全ての維持電極３０mnに負極性で矩形波の予備放電パルスＰpcが印加される。
【００７２】
予備放電パルスＰpsの波高値は、走査電極２８mnと維持電極３０mnとの間の放電開始しきい電圧（以下、放電開始電圧という）を超える値に設定されており、例えば、３００Ｖ程度の値である。予備放電パルスＰpsの傾きは、例えば、３Ｖ／μ秒程度に設定される。
また、予備放電パルスＰpcの電位は、接地電位ＧＮＤに設定される。
【００７３】
上記予備放電パルスＰps及び予備放電パルスＰpcが印加され、予備放電パルスＰpsの電圧が上昇し、走査電極２８mnと維持電極３０mnとの間の電位差が放電開始電圧を超えるとき、これら両電極間に弱い放電が発する。
この放電により、走査電極２８mnに負の壁電荷が形成され、維持電極３０mnに正の壁電荷が形成される。
【００７４】
予備放電パルスＰpsの印加に続いて、負極性で鋸歯状の予備放電消去パルスＰpesが全ての走査電極群１６mに印加されると同時に、全ての維持電極３０mnの電位は維持電圧Ｖsに遷移される。予備放電消去パルスＰpesの到達電位は、例えば、−６０Ｖ程度であり、傾きは、例えば、３Ｖ／μ秒程度である。
予備放電消去パルスＰpesの印加により、全ての走査電極２８mn及び全ての維持電極３０mnに形成された壁電荷は消去される。
なお、予備放電期間Ａにおける壁電荷の消去には、選択操作及び維持放電等での放電動作を良好に行わせるに必要な壁電荷の調整も含まれる。
【００７５】
予備放電期間Ａにおける上述したような壁電荷の調整を含む消去が行われた後、選択操作期間Ｂにおける書込み放電、例えば、表示セル１４mnの走査電極２８mnへの走査パルスの印加と、この印加と同時的のデータ電極２４nへのデータパルスの印加とによるこれら両電極間の書込み放電について説明する。
【００７６】
選択操作期間Ｂに入ると、走査ドライバ１８によって、全ての走査電極群１６mの電位は、一旦ベース電位Ｖbwに設定された後、各走査電極群１６mに線順次で負極性の走査パルスＰw（図３では、走査電極群１６(m+1)についてのみ示す）が印加される。その走査パルスＰwが走査電極群１６(m+1)に印加されている間に、各データ電極２４nには、データドライバ２６によって画像信号内の対応する表示データ（画素データ）を表すデータパルスＰdが順次印加される。
【００７７】
走査パルス印加期間以外の選択操作期間Ｂに各走査電極群１６mに印加されるベース電位Ｖbwは、例えば、３０Ｖ程度であり、維持電極３０mnは、維持ドライバ２２によって、選択操作期間Ｂの間、維持電圧Ｖsに保持される。
また、走査電極群１６mに印加される走査パルスＰw及びデータ電極２４ｎに印加されるデータパルスＰdの到達電位は、これらパルスＰw、Ｐdを印加しようとする表示セル１４mnの走査電極２８mn及び維持電極３０mnのいずれか一方にそのパルスが単独で印加された場合にはこれら両電極間の対向電極電圧がその放電開始電圧を超えるに至らないが、両パルスが重畳して印加されたとき始めて放電開始電圧を超えるように設定されている。
【００７８】
また、走査パルスＰwの電位は、走査電極２８mnに走査パルスＰwが印加されたときに、走査電極２８mnと維持電極３０mnとの間の面電極電圧が放電開始電圧を超えないように設定されている。例えば、走査パルスＰwの到達電位は−６０Ｖ程度であり、データパルスＰdの到達電位は７０Ｖ程度である。
なお、上述した対向電極電圧及び面電極電圧は、外部から表示セルの電極に印加される電圧と該電圧の印加によって当該表示セルの電極上に形成された壁電荷による電圧（壁電圧）との合成値として規定されるものである。
【００７９】
このように、走査パルスＰw及びデータパルスＰdの電位は規定されているから、走査パルスＰwが走査電極２８ｍnに印加され、データパルスＰdがデータ電極２４nに印加された表示セル１４mnにおいてのみ、走査電極２８mnとデータ電極２４nとの間で対向放電が発生する。
上記走査パルスＰw及びデータパルスＰdの印加時に、維持電極３０mnには維持電圧Ｖsが印加されているから、走査電極２８mnと維持電極３０mnとの間には走査パルスＰwと維持電圧Ｖsとによる電位差が与えられている。
【００８０】
したがって、上述の対向放電をトリガとして走査電極２８mnと維持電極３０mnとの間に放電が発生する。この放電が書込み放電となる。
この書込み放電により、選択された表示セル１４mnの走査電極２８mn上に正の壁電荷が形成され、維持電極３０mn上に負の壁電荷が接続される。これが書込み動作となる。
【００８１】
その後の維持期間Ｃにおいて、全ての走査電極２８mnの電位を維持電極Ｖsに保持する一方、全ての維持電極３０mnに波高値がＶsで負極性の第1の維持パルスＰsfを印加する。
全ての走査電極２８mnに印加される維持電極Ｖsの値は、次のように設定されている。
すなわち、選択操作期間Ｂにおいて選択された表示セル１４mnの走査電極２８mn及び維持電極３０mn上に形成された壁電荷による壁電圧が上記維持電極Ｖsに重畳されたときに両電極２８mn、３０mn間の電圧が放電開始電圧を超えて上記書込み放電が走査電極２８mnと維持電極３０mnとの間に発生するが、選択操作期間Ｂにおいて選択されなかった表示セル１４op（Ｏ及びＰは選択されていない表示セルを表す）ではその走査電極２８op及び維持電極３０op上に壁電荷が形成されていないので上記維持電極Ｖsが走査電極２８opに印加され、第1の維持パルスＰsfが維持電極３０opに印加されたとしても両電極２８op、３０op間の電圧が放電開始電圧を超えず、走査電極２８opと維持電極３０opとの間に放電が発生しないように設定されている。
第１の維持パルスＰsfのパルス幅は、維持放電が安定して発生する値、例えば、５μ秒程度と比較的長く設定される。
【００８２】
上述したところから明らかなように、選択操作期間Ｂにおいて選択されて書込み放電が発生し、壁電荷が形成された表示セルにおいてのみ、第１の維持パルスＰsfの印加により、走査電極２８mnと維持電極３０mnとの間で維持放電が発生する。
この維持放電により、走査電極２８mn上に負の壁電荷が、そして維持電極３０mn上に正の壁電荷が形成される。
【００８３】
上記維持放電に続いて、維持電極３０mnの電位が維持電圧Ｖsに保持される一方、波高値が維持電圧で負極性の維持パルスＰsが走査電極２８mnに印加される。維持パルスＰsのパルス幅は、例えば、２μ秒である。
維持電圧Ｖs及び維持パルスＰsの印加時には、走査電極２８mn上に負の壁電荷が、また、維持電極３０mn上に正の壁電荷が形成されているので、これら両電極（面電極）間に維持放電が発生する。
【００８４】
この維持放電に続いて、走査電極２８mnと維持電極３０mnとの間に、波高値が維持電圧Ｖsで互いに位相が反転した負極性の維持パルスＰsが、交互に連続して、維持期間Ｃの終了まで印加される。
これにより、維持放電が、走査電極２８mnと維持電極３０mnとの間で、連続して発生する。
【００８５】
維持期間Ｃに続く維持消去期間Ｄでは、全ての維持電極３０mnの電位は維持電圧Ｖsに保持される一方、全ての走査電極２８mnに、負極性で鋸歯状の維持消去パルスＰesが印加される。維持消去パルスＰesの到達電位は、例えば、―６０ボルト程度であり、その傾きは、例えば、３ボルト／μ秒程度である。
【００８６】
この維持消去期間Ｄにおける処理ステップ（工程）において、各走査電極と対応維持電極との間で弱放電が発生し、これら対応電極上に形成されていた壁電荷が消去されて初期状態、すなわち、予備放電期間Ａにおいて、予備放電パルスＰps及びＰpcが印加される前の状態に戻る。
なお、維持消去期間Ｄにおける壁電荷の消去には、次の処理ステップ（工程）の動作を首尾良く生じさせるための壁電荷の調整も含まれる。
【００８７】
次に、選択操作期間Ｂで選択される表示セルの走査電極とデータ電極との間で対向放電を確実に生じさせるためのこれら両電極上の壁電荷の、予備放電期間Ａにおける調整と、選択操作期間Ｂで選択される表示セルの走査電極と維持電極との間で面放電を確実に生じさせるためのこれら両電極上の壁電荷の、予備放電期間Ａにおける調整とについて説明する。
【００８８】
上述したように、選択操作期間Ｂでは、走査パルスＰwとデータパルスＰdとが印加されることにより、選択された表示セルの走査電極とデータ電極との間で対向放電が発生する。
しかしながら、この対向放電は、必ず発生するものではなく、或る放電確率に応じて発生する。その放電確率を決定する要素は様々であり、その１つには走査電極とデータ電極との間の電位差が挙げられる。
上記両電極間の電位差が大きいほど放電確率は高く、確実な表示動作を行うことが可能となる。
【００８９】
したがって、上記両電極間の電位差を大きくするためには、例えば、いずれか一方のパルスが印加されている状態、この実施例においては波高値の高い走査パルスＰwのみが印加されている状態で、上記両電極間の電位差が放電を開始しないぎりぎりの電位差、すなわち、放電開始電圧となっていることが望ましい。
具体的には、予備放電期間Ａでデータ電極２４nを０ボルトにし、走査電極２８mnを走査パルスＰwの電位と同じ−６０ボルトとしたときに、対向電極間の電位差が放電開始電圧となるように壁電荷の調整が行われる。
【００９０】
また、走査電極２８mnとデータ電極２４nとの間での対向放電をトリガとして発生する走査電極２８mnと維持電極３０mnとの間での面放電をより確実に発生させるという点で、走査パルスＰwが印加された走査電極２８mnと維持電極３０mnとの間の電位差も、これら両電極間の放電開始電圧となることが望ましく、予備放電期間Ａにおいて上記両電極間の電位差が放電開始電圧となるように壁電荷の調整が行われる。
【００９１】
ここで、さらに具体的な選択動作について説明する。
走査電極群１６(m+2)に走査パルスＰwが印加され、データ電極２４(n+1)にのみにデータパルスＰdが印加されて表示セル１４(m+1)(n+1)のみが選択される場合について説明する。
走査電極群１６(m+2)に走査パルスＰwが印加されると、その走査パルスＰwは、表示セル１４(m+2)n、１４(m+1)(n+1)、１４(m+2)(n+2)の走査電極２８(m+2)n、２８(m+1)(n+1)、２８(m+2)(n+2)に印加される。
しかし、データパルスＰdは、データ電極２４(n+1)のみに印加されるから、表示セル１４(m+1)(n+1)においてのみ書込み放電が発生する。
【００９２】
この書込み放電が発生した表示セル１４(m+1)(n+1)の上下左右に境界部を共有する４個の表示セル１４m(n+1)、１４(m+1)n、１４(m+1)(m+2)、１４(m+2)(n+1)の内部へ境界部の隔壁を通して荷電粒子などが流入し、放電が起き易い状態となる。なお、表示セル１４m(n+1)、１４(m+1)n、１４(m+1)(m+2)、１４(m+2)(n+1)は、それぞれ、表示セル１４(m+1)(n+1)と互いに線状に隣接する表示セルの例である。
しかしながら、これらの４個の表示セルの走査電極は、走査電極群１６(m+1)又は走査電極群１６(m+3)に属している。
したがって、上記４個の表示セルのいずれの走査電極にも、走査パルスＰwは印加されない。
【００９３】
それ故、上記４個の表示セルにおいては、面電極間の電位差も、また、対向電極間の電位差も、放電開始電圧よりも十分低い電位差となっており、荷電粒子などの流入により誤放電が発生してしまうことはない。
また、表示セル１４(m+1)(n+1)に印加されるのと同じタイミングで走査パルスＰwが印加される表示セル１４(m+2)n、１４(m+2)(n+2)については、表示セル１４(m+1)(n+1)との間の境界部を有しないかから、荷電粒子などの流入は殆ど無く、表示セル１４(m+2)n、１４(m+2)(n+2)においても誤放電が発生することはない。
【００９４】
このように、この実施例の構成によれば、選択された表示セルに上下左右で隣接する表示セルには走査パルスは印加されず、選択された表示セルと境界部を共有する表示セルでは対向電極間の電位差も、また、面電極間の電位差も、放電開始電圧よりも十分低い電位差にあるから、それらいずれの表示セルでの誤放電を抑制することができる。
したがって、良好な表示状態のプラズマディスプレイパネル装置の提供に寄与する。
【実施例２】
【００９５】
図４は、この発明の実施例２であるプラズマディスプレイパネルをその表示面側から見た平面図、図５は、同プラズマディスプレイパネルの前面基板の内面側から見た状態を製造工程に従って示す平面図、また、図６は、図５のＡ−Ａ部での断面図である。
この実施例の構成が、実施例１のそれと大きく異なるところは、走査電極を接続するトレース電極と維持電極を接続するトレース電極とを表示セルの境界で交差させて構成した点である。
【００９６】
すなわち、この実施例のプラズマディスプレイパネル１２Ａは、各表示セル１４(m+1)(n+1)を囲む隔壁の交差部において、表示行１３mの偶数番目の走査電極２８m(n+1)、…及び表示行１３(m+1)の奇数番目の走査電極２８(m+1)n、２８(m+1)(n+2)、…を接続するトレース電極３２(m+1)と表示行１３mの奇数番目の維持電極３０mn、３０m(n+2)、…及び表示行１３(m+1)の維持電極３０(m+1)(n+1)、…を接続するトレース電極３４mとを交差させて配置すると共に、表示行１３(m+1)の偶数番目の走査電極２８(m+1)(n+1)、…及び表示行１３(m+2)の奇数番目の走査電極２８(m+2)n、２８(m+2)(n+2)、…を接続するトレース電極３２(m+2)と表示行１３(m+1)の奇数番目の維持電極３０(m+1)n、３０(m+1)(n+2)、…及び表示行１３(m+2)の偶数番目の維持電極３０(m+2)(n+1)、…を接続するトレース電極３４(m+1)とを交差させて配置したことにその特徴部分がある。
この構成以外のこの実施例の構成は、実施例１と同じであるので、同一の構成部分には同一の参照符号を付して、その逐一の説明は省略する。
【００９７】
次に、図４乃至図６を参照して、この実施例の動作について説明する。
先ず、この実施例のプラズマディスプレイパネル１２Ａの製造方法について図５及び図６を参照して説明する。
この製造方法においても、プラズマディスプレイパネル１２Ａのいずれの走査電極２８mn及び維持電極３０mnも、従来方法によって、前面基板５０（図６）上に形成する。
表示行１３mの偶数番目の表示セル２８m(n+1)、…及び表示行１３(m+1)の偶数番目の走査電極２８(m+1)n、２８(m+1)(n+2)、…が形成されている前面基板５０上にトレース電極３２(m+1)を形成する（図５及び図６の（ａ））。
次に、トレース電極３２(m+1)の交差部に絶縁層１０２を形成する（図５及び図６の（ｂ））。
【００９８】
表示行１３mの奇数番目の維持電極３０mn、３０m(n+2)、…及び表示行１３(m+1)の偶数番目の維持電極３０(m+1)(n+1)、…を接続するトレース電極３４mを形成する（図５及び図６の（ｃ））。
その後に、全面に誘電体層（図５及び図６に図示せず）を形成する。
このような構造を用いることにより、トレース電極３４mとトレース電極３２(m+1)との電気的な絶縁が保たれる。
なお、図４には、絶縁層１０２は図示してない。
【００９９】
次に、各電極の配置及び接続について説明する。
走査電極２８mnと維持電極３０mnとの位置関係並びに走査電極２８mnに接続されるトレース電極３２mの配置については実施例１に示すものと同じ構成となっている。
【０１００】
一方、維持電極３０mnに接続されるトレース電極３４mは、その接続関係が次のように実施例１と異なる。
実施例１では、同一の表示行に属する維持電極３０mnは、同一のトレース電極３４mに接続されているが、この実施例においては走査電極２８mnの場合と同様、上下に隣接する表示行に属する維持電極、例えば、維持電極３０mn、３０(m+1)(n+1)、…を交互に接続するようにトレース電極３４mは配置される。
しかしながら、維持電極３０mn、維持電極３０(m+1)(n+1)、…は、全て同一の駆動波形によって駆動されるので、電気的に見れば実施例１と同一と考えることができる。
【０１０１】
上述のように、トレース電極３４mの維持電極３０mnへの接続関係において実施例１と差異はあるが、電気的な働きにおいては実施例１とこの実施例との間には差異はない。
したがって、この実施例の駆動装置１０Ａ（図４には図示せず）の動作も実施例１で説明したところと同じであるので、その説明は繰り返さない。
【０１０２】
一般に、プラズマディスプレイパネルでは、個々の表示セル１４mnで発生する表示のための維持放電は、主放電ギャップＭＧで発生するから、主放電ギャップＭＧ近傍の放電強度が最も高くなる。
したがって、発光の強度も、主放電ギャップＭＧ近傍が最も高い分布を持っている。
【０１０３】
実施例１のプラズマディスプレイパネルでは、維持電極３０mnに接続されるトレース電極３４mは、主放電ギャップＭＧ近傍に形成されている。トレース電極３４mは、透光性を有しないから、トレース電極３４mの下側での発光は遮光されてしまい、プラズマディスプレイパネルにおける発光強度の低下の原因となる。
【０１０４】
これに対して、この実施例のプラズマディスプレイパネルでは、維持電極３０mnに接続されるトレース電極３４mは、表示セル１４mnの端部に配置される。表示セル１４mnの端部での発光強度は比較的低いから、トレース電極３４mの遮光による発光強度の低下は軽度に抑えることができる。
【０１０５】
このように、この実施例の構成によれば、実施例１と同様に書込み放電による隣接した表示セルでの誤放電の発生を抑制できて良好な表示のプラズマディスプレイパネルの提供に寄与する。
また、輝度の低下をほぼ無くしつつ良好な表示のプラズマディスプレイパネルの提供を達成し得る。
【実施例３】
【０１０６】
図７は、この発明の実施例３であるプラズマディスプレイパネルをその表示面側から見た平面図である。
この実施例の構成が、実施例１及び実施例２のそれと大きく異なるところは、同一表示行内の各走査電極及び各維持電極の並び方を同一にし、かつ、隣り合う表示行間で該並び方を入れ替え、その各電極の配置における走査電極のトレース電極による接続と維持電極のトレース電極による接続とを実施例２と同様にした点である。
【０１０７】
すなわち、この実施例のプラズマディスプレイパネル１２Ｂは、同一表示行１３mに属する表示セル１４mn毎の走査電極２８mn及び維持電極３０mnを同一の配置にし、かつ、隣り合う表示行、例えば、表示行１３mと表示行１３(m+1)において、表示行１３mの各表示セル１４mnの走査電極２８mn及び維持電極３０mnの配置と表示行１３(m+1)の各表示セル１４(m+1)nの走査電極２８(m+1)n及び維持電極３０(m+1)nの配置とを入れ替える一方、隣り合う表示行、例えば、表示行１３(m+1)と表示行１３(m+2)において、表示行１３(m+1)の奇数番目の走査電極２８(m+1)n、走査電極２８(m+1)(n+2)、…及び表示行１３(m+2)の偶数番目の走査電極２８(m+2)(n+1)、…をトレース電極３２(m+1)1で１列置きに交互に接続すると共に、表示行１３(m+1)の偶数番目の走査電極２８(m+1)(n+1)、…及び表示行１３(m+2)の奇数番目の走査電極２８(m+2)n、２８(m+2)(n+2)、…をトレース電極３２(m+1)2で１列置きに交互に接続する。
【０１０８】
これらの接続と共に、隣り合う表示行、例えば、表示行１３mと表示行１３(m+1)において、表示行１３mの奇数番目の維持電極３０mn、維持電極３０(m)(n+2)、…及び表示行１３(m+1)の偶数番目の維持電極３０(m+1)(n+1)、…をトレース電極３４m1で１列置きに交互に接続すると共に、表示行１３mの奇数番目の維持電極３０m(n+1)、…及び表示行１３(m+1)の偶数番目の維持電極３０(m+1)n、３０(m+1)(n+2)、…をトレース電極３４m2で１列置きに交互に接続して構成される。
【０１０９】
このような表示行１３mの走査電極２８mnと維持電極３０mnとの配置形態であるため、隣り合う表示行、例えば、表示行１３mの維持電極３０mnと表示行１３(m+1)の維持電極３０(m+1)nとは隣り合うし、表示行１３(m+1)の走査電極２８(m+1)nと表示行１３(m+2)の走査電極２８(m+2)nとは隣り合う。
【０１１０】
また、隣り合う表示行、例えば、表示行１３(m+1)と表示行１３(m+2)との走査電極を１列毎に交互に接続するトレース電極３２(m+1)1とトレース電極３２(m+1)2とは交差部を有するし、表示行１３mと表示行１３(m+1)との維持電極を１列毎に交互に接続するトレース電極３４m1とトレース電極３４m2とは交差部を有する。
そして、いずれの交差部も実施例２と同様絶縁層（図示せず）によって電気的に絶縁されている。
この構成以外のこの実施例の構成は、実施例１と同じであるので、同一の構成部分には同一の参照符号を付して、その逐一の説明は省略する。
【０１１１】
次に、図７を参照して、この実施例の動作について説明する。
この実施例におけるプラズマディスプレイパネル１２Ｂの駆動装置１０Ｂ（図７には図示せず）の駆動は、実施例１及び実施例２とほぼ同様である。
すなわち、予備放電期間Ａにおいて、プラズマディスプレイパネル１２Ｂの全ての表示セルの壁電圧の消去が行われる。
そして、選択操作期間Ｂに入り、書込み動作が行われる。例えば、表示行１３(m+1)の偶数番目の表示セル１４(m+1)(n+1)の書込み動作においては、走査パルスＰwが走査ドライバ１８によって走査電極群１６(m+2)に印加される。
【０１１２】
その走査電極群１６(m+2)に属する偶数番目の走査電極２８(m+1)(n+1)は、上述のように、トレース電極３２(m+1)2によって接続されて構成されているから、実施例１及び実施例２と同様、走査電極群１６(m+2) に属する偶数番目の走査電極２８(m+1)(n+1)、…に供給される走査パルスＰwは、表示セル１４(m+2)n、表示セル１４(m+1)(n+1)、表示セル１４(m+2)(n+2)等の各走査電極に印加される、つまり、これらの表示セルが書込み対象の表示セルとなる。
これらの各走査電極に走査パルスＰwが印加されている間に、データパルスＰdがデータドライバ２６によって、順次、データ電極nに印加され、対応する表示セルに順次書込み放電が発生されて当該表示セルの走査電極及び維持電極に互いに逆極性の壁電荷が形成される。
【０１１３】
次の維持期間Ｃにおいて、走査ドライバ１８と維持ドライバ２２によって、維持パルスＰsが走査電極２８(m+1)(n+1)と維持電極３０(m+1)(n+1)とに交互に印加されてこれら両電極間で維持放電が繰り返されて選択操作期間Ｂにおいて選択された表示セル１４(m+1)(n+1)に点灯表示が行われる。
そして、維持消去期間Ｄにおいて、点灯表示されている表示セル１４(m+1)(n+1)の消灯が行われ、次のサブフィールドの動作に入る。
【０１１４】
上述した書込み放電が行われた表示セル１４(m+1)(n+1)と境界部を共有している隣接の４個の表示セル、すなわち、表示セル１４m(n+1)、表示セル１４(m+1)n、表示セル１４(m+1)(n+2)、表示セル１４(m+2)(n+1)には、上記走査パルスＰwは印加されていない。
このことは、実施例１及び実施例２と同様であり、表示セル１４(m+1)(n+1)での書込み放電において発生した荷電粒子等が、上記隣接する４個の表示セルに
流入したとしても、これら４個の表示セルに放電を発生させてしまうことはない。
【０１１５】
また、実施例１及び実施例２では、表示行方向においても、また、表示行方向と直交する列方向においても、いずれの表示セルの走査電極も該表示セルと隣接する表示セルの維持電極と隣り合わせの位置関係にあるが、この実施例においては、表示行の走査電極と維持電極とは上述した配列構造にあるから表示セル間で走査電極と維持電極とが並ぶことはないから、並んでいない走査電極と維持電極との間には実施例１及び実施例２では付いてしまう容量成分は無くなり、この実施例の表示セルの容量成分は、主放電ギャップＭＧ間のものだけとなる。それだけ容量成分への充放電流は少なくなり、消費電力の低減となる。
プラズマディスプレイパネルでの消費電力には、発光に直接関与しない表示セルの容量成分での充放電で消費される電力もある。
特に、維持期間Ｃにおいて維持パルスＰsが走査電極と維持電極との間に繰り返して印加されるときに表示セルの容量成分が繰り返して充放電されるが、その充放電に消費される電力は、上述したように、実施例３によれば、主放電ギャップＭＧ間の容量成分の充放電で消費される電力だけとなるから、消費電力の低減に役立つ。
【０１１６】
このように、この実施例の構成によれば、実施例１と同様に書込み放電による隣接した表示セルでの誤放電の発生を抑制できて良好な表示のプラズマディスプレイパネルの提供に寄与する。
また、消費電力の低減を図りつつ良好な表示のプラズマディスプレイパネルの提供を達成し得る。
【実施例４】
【０１１７】
図８は、この発明の実施例４であるプラズマディスプレイパネルをその表示面側から見た平面図である。
この実施例の構成が、実施例３のそれと大きく異なるところは、隣り合う表示行の維持電極を接続するトレース電極を表示セル間で電気的に接続した点である。
【０１１８】
すなわち、この実施例のプラズマディスプレイパネル１２Ｃは、表示行１３mの維持電極３０mnと維持電極３０m(n+1)とを接続するトレース電極３４m1と表示行１３(m+1)の維持電極３０(m+1)nと維持電極３０(m+1)(n+1)とを接続するトレース電極３４m2とを、表示セル１４mn及び表示セル１４(m+1) nと表示セル１４m(n+1)と表示セル１４(m+1)(n+1)との間の隔壁６８上で電気的導電層３６m(m+1)で電気的に接続して構成される。
このような電気的接続をして構成するのは、プラズマディスプレイパネル１２Ｃを駆動するのにいずれの維持電極３０mnにも同一の波形の駆動信号が印加されるからである。
この構成以外のこの実施例の構成は、実施例１と同じであるので、同一の構成部分には同一の参照符号を付して、その逐一の説明は省略する。
【０１１９】
次に、図８を参照して、この実施例の動作について説明する。
この実施例の駆動装置１０Ｃ（図８には図示せず）によるプラズマディスプレイパネル１２Ｃの駆動においては、いずれの表示行１３mの維持電極３０mnには、実施例１乃至実施例３と同様に、予備放電期間Ａ、選択操作期間Ｂ、維持期間Ｃ及び維持消去期間Ｄにおいて、同一の波形の駆動信号が印加されてプラズマディスプレイパネル１２Ｃは駆動される。
また、この実施例における走査電極２８mn及びデータ電極２４nへの駆動信号の印加は、実施例１乃至実施例３において説明したところと同じである。
【０１２０】
上述したところから明らかなように、この実施例の構成によっても、実施例１乃至実施例３で説明したと同等の効果が得られる。
【実施例５】
【０１２１】
図９は、この発明の実施例５であるプラズマディスプレイパネルをその表示面側から見た平面図、また、図１０は、同プラズマディスプレイパネルを駆動する駆動波形を示す図である。
この実施例の構成が、実施例１のそれと大きく異なるところは、同一表示行の表示セル毎に交互に上下して配置される上側（奇数番目）の走査電極と下側（偶数番目）の走査電極毎に、別個のトレース電極でそれぞれ走査電極を接続すると共に、上記配置の走査電極と並置される維持電極を別のトレース電極で接続するようにした点である。
【０１２２】
すなわち、この実施例のプラズマディスプレイパネル１２Ｄは、同一表示行１３mの表示セル１４mn、１４m(n+1)、１４m(n+2)、…に交互に上下して配置される奇数番目の走査電極２８mn、２８m(n+2)、…をトレース電極３２m1で接続し、また、偶数番目の走査電極２８m(n+1)、…をトレース電極３２m2で接続している。
【０１２３】
したがって、上側の、すなわち、奇数番目の走査電極２８mn、２８m(n+2)、…は、走査電極群１６(m.o)を構成し、下側の、偶数番目の走査電極２８m(n+1)、…は、走査電極群１６(m.e)を構成する。
また、同一表示行１３mの表示セル１４mn、１４m(n+1)、１４m(n+2)、…の維持電極３０mn、３０m(n+1)、３０m(n+2)、…は、トレース電極３４mで接続している。
【０１２４】
走査ドライバ１８Ｄ（図９には図示せず）は、線順次、すなわち、走査電極群１６m.o、１６m.e、１６(m+1).o、１６(m+1).e、…順で順次走査パルスＰwを対応するトレース電極３２m1、３２m2、３２(m+1)1、３２(m+1)2、…に供給する。
走査ドライバ１８Ｄ並びに維持ドライバ２２Ｄ及びデータドライバ２６Ｄ（図９には図示せず）が、プラズマディスプレイパネル１２Ｃの駆動装置１０Ｃを構成する。
この構成以外のこの実施例の構成は、実施例１と同じであるので、同一の構成部分には同一の参照符号を付して、その逐一の説明は省略する。
【０１２５】
次に、図９及び図１０を参照して、この実施例の動作について説明する。
この実施例においても、プラズマディスプレイパネル１２Ｄは、図１０に示すように、４つの期間、すなわち、予備放電期間Ａ、選択操作期間Ｂ、維持期間Ｃ及び維持消去期間Ｄから成るサブフィールド単位で駆動される。
上記予備放電期間Ａ、維持期間Ｃ及び維持消去期間Ｄの各期間におけるプラズマディスプレイパネル１２Ｄの駆動は、基本的に実施例１で説明したところと同じであるが、選択操作期間Ｂにおける駆動は、以下に述べるように異なる。
【０１２６】
すなわち、選択操作期間Ｂにおいて、線順次で表示行１３mの走査電極群１６(m.o)、１６(m.e)に走査パルスＰwが走査ドライバ１８Ｄによって印加される。
例えば、表示セル１４(m+1)(n+1)が選択される場合には、走査電極群１６(m+1.e)に走査パルスＰwが走査ドライバ１８によって印加される。
この走査パルスＰwが印加されている間に、例えば、データパルスＰdが、データドライバ２６によってデータ電極２４(n+1)に印加されて書込み動作が生ぜしめられる。
【０１２７】
この書込み動作が生ぜしめられるとき、図示しない表示セル１４(m+1)(n-1)、表示セル１４(m+1)(n+3)にも、上記走査パルスＰwが印加されてはいるが、図示される周辺の４個の表示セル１４m(n+1)、１４(m+1)n、１４(m+1)(n+2)、１４(m+2)(n+1)には、走査パルスＰwは印加されていない。
したがって、上述の各実施例と同様に、上記表示セル１４(m+1)(n+1)での書込み動作における書込み放電によって、隣接する上記各表示セルにおいて誤放電の発生を効果的に抑制することができる。
【０１２８】
上述したように、この実施例においても、書込み放電を生ぜしめられる表示セルに隣接する表示セルには、走査パルスが印加されることはないから、実施例１乃至実施例４と同様、選択された表示セルでの書込み放電によって当該表示セルに隣接する表示セルで誤放電を発生させてしまうのを効果的に抑制することができる。
【実施例６】
【０１２９】
図１１は、この発明の実施例６であるプラズマディスプレイパネルを駆動する駆動波形を示す図である。
この実施例の構成が、実施例５のそれと大きく異なるところは、実施例５のプラズマディスプレイパネルにおいて、隣り合う表示行の各表示セルの走査電極を同時に駆動するようにした点である。
【０１３０】
すなわち、この実施例のプラズマディスプレイパネル１２Ｅ（図示せず）は、隣り合う表示行の各走査電極群、例えば、表示行１３(m+1)の走査電極群１６(m+1.e)を構成する走査電極２８(m+1)(n+1)、…（図９、図１１）と表示行１３(m+2)の走査電極群１６(m+2.o)を構成する走査電極２８(m+2)n、２８(m+2)(n+2)、…（図９、図１１）とに走査ドライバ１８Ｅ（図示せず）から同時に走査パルスＰwを印加するようにして構成される。
これに伴って、走査ドライバ１８Ｅは、走査電極群１６(m+1.e)に接続されたトレース電極３２(m+1)2と走査電極群１６(m+2.o)に接続されたトレース電極３２(m+2)1とに走査パルスＰwを同時に供給するように構成されている。
走査ドライバ１８Ｅ、維持ドライバ２２Ｅ及びデータドライバ２６Ｅ（図９には図示せず）が、プラズマディスプレイパネル１２Ｅの駆動装置１０Ｅを構成する。
この構成以外のこの実施例の構成は、実施例５と同じであるので、同一の構成部分には同一の参照符号を付して、その逐一の説明は省略する。
【０１３１】
次に、図１１を参照して、この実施例の動作について説明する。
図１１に示すように、この実施例のプラズマディスプレイパネル１２Ｅの駆動装置１０Ｅ（図示せず）による駆動も、４つの期間、すなわち、予備放電期間Ａ、選択操作期間Ｂ、維持期間Ｃ及び維持消去期間Ｄから成るサブフィールド単位で行われることは、上述の実施例５と同様である。
そして、選択操作期間Ｂを除くいずれの期間における駆動も、上記実施例５と同様である。
【０１３２】
この実施例における選択操作期間Ｂにおける走査パルスＰwの印加の仕方にのみ、実施例５と相違する。
すなわち、選択操作期間Ｂに入って表示行１３(m+1)の表示セル１４(m+1)(n+1)が選択される場合、走査ドライバ１８Ｅからトレース電極３２(m+1)1とトレース電極３２(m+2)1に同時に走査パルスＰwが供給されて走査電極群１６(m+2.o)（図９、図１１）を構成する走査電極２８(m+2)n、２８(m+2)(n+2)、…と走査電極群１６(m+1.e)（図９、図１１）の走査電極２８(m+1)(n+1)、…とに印加される。
【０１３３】
したがって、表示行１３(m+2)の表示セル１４(m+2)n、１４(m+2)(n+2)、…にもその走査パルスＰwは印加されるが、表示セル１４(m+1)(n+1)と境界部を共有する４個の表示セル１４m(n+1)、１４(m+1)n、１４(m+1)(n+2)、１４(m+2)(n+1)には上記走査パルスＰwは印加されない。
したがって、この実施例での駆動形態も、実施例１に示す駆動形態と全く同じ駆動形態である。
【０１３４】
また、実施例５では、表示行数に対して走査電極群数が２倍になって選択操作期間Ｂが２倍になり、維持期間Ｃに振り向け得る時間が減少してしまい、表示輝度の低下となる不具合があるが、この実施例では、隣り合う表示行の２つの走査電極群を同時に走査パルスを印加するようにしているので、択操作期間Ｂの時間が延びることは無くなり、維持期間Ｃを減少させてしまうことはなく、高輝度の表示状態を維持することが可能になる。
【０１３５】
上述したように、この実施例においても、書込み放電を生ぜしめられる表示セルに隣接する表示セルには、走査パルスが印加されることはないから、実施例１乃至実施例５と同様、選択された表示セルでの書込み放電によって当該表示セルに隣接する表示セルで誤放電を発生させてしまうのを効果的に抑制することができる。
また、実施例５のように選択操作期間が長くなり、維持期間を減少させてしまうことは無く、高輝度での表示を達成し得る。
【実施例７】
【０１３６】
図１２は、この発明の実施例７であるプラズマディスプレイパネルを駆動する駆動波形を示す図である。
この実施例の構成が、実施例５のそれと大きく異なるところは、実施例５のプラズマディスプレイパネルにおいて、１置きの表示行の各表示セルの走査電極を同時に駆動するようにした点である。
【０１３７】
すなわち、この実施例のプラズマディスプレイパネル１２Ｆ（図示せず）は、隣り合う表示行の各走査電極群、例えば、表示行１３mの奇数番目の走査電極群１６(m.o)の走査電極２８mn、２８m(n+2)、…と表示行１３(m+2)の偶数番目の走査電極群１６(m+2.e)の走査電極２８(m+2)(n+1)、…とに走査ドライバ１８Ｆ（図示せず）から同時に走査パルスＰwを印加するようにして構成される。
これに伴って、走査ドライバ１８Ｆ（図示せず）は、走査電極群１６(m.o)に接続されたトレース電極３２m1と走査電極群１６(m+2.e)に接続されたトレース電極３２(m+2)2とに走査パルスＰwを同時に供給するように構成されている。
走査ドライバ１８Ｆ、維持ドライバ２２Ｆ及びデータドライバ２６Ｆ（図示せず）が、プラズマディスプレイパネル１２Ｆの駆動装置１０Ｆを構成する。
この構成以外のこの実施例の構成は、実施例５と同じであるので、同一の構成部分には同一の参照符号を付して、その逐一の説明は省略する。
【０１３８】
次に、図１２を参照して、この実施例の動作について説明する。
図１２に示すように、この実施例のプラズマディスプレイパネル１２Ｆの駆動装置１０Ｆ（図示せず）による駆動も、４つの期間、すなわち、予備放電期間Ａ、選択操作期間Ｂ、維持期間Ｃ及び維持消去期間Ｄから成るサブフィールド単位で行われることは、上述の実施例５と同様である。
そして、選択操作期間Ｂを除くいずれの期間における駆動も、上記実施例５と同様である。
【０１３９】
この実施例における選択操作期間Ｂにおける走査パルスＰwの印加の仕方にのみ、実施例５と相違する。
すなわち、選択操作期間Ｂに入って表示行１３mの表示セル１４m(n+1)が選択される場合、走査ドライバ１８Ｆからトレース電極３２m2とトレース電極３２(m+2)1とに同時に走査パルスＰwが供給されて走査電極群１６(m.e)（図９、図１2）の走査電極２８(m+1)(n+1)、…と走査電極群１６(m+2.o)（図９、図１２）の走査電極２８(m+2)n、２８(m+2)(n+2)、…に印加される。
【０１４０】
したがって、表示行１３(m+2)の奇数番目の表示セル１４(m+2)n、１４(m+2)(n+2)、…にもその走査パルスＰwは印加されるが、表示セル１４m(n+1)と境界部を共有する４個の表示セル１４(m-1)(n+1)、１４mn、１４m(n+2)、１４(m+1)(n+1)には上記走査パルスＰwは印加されない。
したがって、この実施例での駆動形態も、実施例１に示す駆動形態と全く同じ駆動形態である。
【０１４１】
また、実施例５では、表示行数に対して走査電極群数が２倍になって選択操作期間Ｂが２倍になり、維持期間Ｃに振り向け得る時間が減少してしまい、表示輝度の低下となる不具合があるが、この実施例では、１表示行置きの２つの走査電極群を同時に走査パルスを印加するようにしているので、択操作期間Ｂの時間が延びることは無くなり、維持期間Ｃを減少させてしまうことはなく、高輝度の表示状態を維持することが可能になる。
【０１４２】
上述したように、この実施例においても、書込み放電を生ぜしめられる表示セルに隣接する表示セルには、走査パルスが印加されることはないから、実施例１乃至実施例６と同様、選択された表示セルでの書込み放電によって当該表示セルに隣接する表示セルで誤放電を発生させてしまうのを効果的に抑制することができる。
また、実施例５のように選択操作期間が長くなり、維持期間を減少させてしまうことは無く、高輝度での表示を達成し得る。
【実施例８】
【０１４３】
図１３は、この発明の実施例８であるプラズマディスプレイパネルをその表示面側から見た平面図、また、図１４は、同プラズマディスプレイパネルを駆動する駆動波形を示す図である。
この実施例は、実施例１に示す発明概念を〔背景技術〕の項で説明したデルタ配列に拡張したもので、この実施例の構成が、実施例１のそれと大きく異なるところは、プラズマディスプレイパネルの偶数番目の表示行の表示セルを奇数番目の表示行の表示セルの中央に配置し、同一表示行の表示セル毎にその走査電極と維持電極とを交互に上下に入れ替えて配置し、奇数番目の走査電極と偶数番目の走査電極毎に、別個のトレース電極でそれぞれ走査電極を接続すると共に、上記配置の走査電極と並置される維持電極を別のトレース電極で接続するようにした点である。
【０１４４】
すなわち、この実施例のプラズマディスプレイパネル１２Ｇは、表示行１３(m+1)の各表示セルを表示行１３mの表示セル間の中央に配置し、同一表示行１３mの表示セルの奇数番目の走査電極２８mn、２８m(n+4)、…を表示行１３mの上側のトレース電極３２mtで接続し、また、偶数番目の走査電極２８m(n+2)、…を下側のトレース電極３２mbで接続している。
なお、このプラズマディスプレイパネル１２Ｇでも、プラズマディスプレイパネル１２Ｇ上で水平方向に直線状に並ぶ表示セルの並びを表示行という。
【０１４５】
したがって、上側の、すなわち、奇数番目の走査電極２８mn、２８m(n+4)、…は、走査電極群１６m.tを構成し、下側の、偶数番目の走査電極２８m(n+1)、…は、走査電極群１６m.bを構成する。
また、同一表示行１３mの表示セル１４mn、１４m(n+2)、１４m(n+4)、…の維持電極３０mn、３０m(n+2)、３０m(n+4)、…は、トレース電極３４mで接続されている。
【０１４６】
そして、１表示行置きの表示行１３m毎に、同一列の走査電極２８mnと維持電極３０mnとを入れ替えて配置しているから、４つの表示行毎に同一の配置が繰り返されている。
【０１４７】
走査ドライバ１８Ｇ(図１３には図示せず)は、線順次、すなわち、走査電極群１６m.t、１６m.b、１６m+1.t、１６m+1.b、…順で順次走査パルスＰwを対応するトレース電極３２mt、３２mb、３２(m+1)t、３２(m+1)b、…に供給する。
走査ドライバ１８Ｇ並びに維持ドライバ２２Ｇ及びデータドライバ２６Ｇ（図示せず）が、プラズマディスプレイパネル１２Ｇの駆動装置１０Ｇを構成する。
この構成以外のこの実施例の構成は、実施例１と同じであるので、同一の構成部分には同一の参照符号を付して、その逐一の説明は省略する。
【０１４８】
次に、図１３及び図１４を参照して、この実施例の動作について説明する。
この実施例のプラズマディスプレイパネル１２Ｇによる駆動においても、プラズマディスプレイパネル１２Ｇは、図１４に示すように、４つの期間、すなわち、予備放電期間Ａ、選択操作期間Ｂ、維持期間Ｃ及び維持消去期間Ｄから成るサブフィールド単位で駆動される。
上記予備放電期間Ａ、維持期間Ｃ及び維持消去期間Ｄの各期間におけるプラズマディスプレイパネル１２Ｇの駆動は、基本的に実施例１で説明したところと同じであるが、選択操作期間Ｂにおける駆動は、以下に述べるように異なる。
【０１４９】
すなわち、選択操作期間Ｂにおいて、各走査電極群１６m.t、１６m.b、１６m+1.t、１６m+1.b、…毎に、走査パルスＰwが走査ドライバ１８Ｇによって印加される。
例えば、表示セル１４(m+1)(n+3)が選択される場合には、走査電極群１６m+1.bに走査パルスＰwが走査ドライバ１８Ｇによって印加される。
この走査パルスＰwが印加されている間に、例えば、データパルスＰdが、データドライバ２６Ｇによってデータ電極２４(n+3)に印加されて書込み動作が生ぜしめられる。
【０１５０】
この書込み動作が生ぜしめられるとき、同一表示行１３m+1の表示セル１４(m+1)(n+7)、…には、上記走査パルスＰwが印加されてはいるが、図示される周辺の６個の表示セル１４m(n+2)、１４m(n+4)、１４(m+1)(n+1)、１４(m+1)(n+5)、１４(m+2)(n+2)、１４(m+2)(n+4)には、走査パルスＰwは印加されていない。
したがって、上述の各実施例と同様に、上記表示セル１４(m+1)(n+3)での書込み動作における書込み放電によって、隣接する上記各表示セルにおいて誤放電の発生を効果的に抑制することができる。
【０１５１】
上述したように、この実施例においても、書込み放電を生ぜしめられる表示セルに隣接する表示セルには、走査パルスが印加されることはないから、実施例１乃至実施例７と同様、選択された表示セルでの書込み放電によって当該表示セルに隣接する表示セルで誤放電を発生させてしまうのを効果的に抑制することができる。
【実施例９】
【０１５２】
図１５は、この発明の実施例９であるプラズマディスプレイパネルをその表示面側から見た模式的な平面図、また、図１６は、同プラズマディスプレイパネルを駆動する駆動波形を示す図である。
この実施例の構成が、実施例８のそれと大きく異なるところは、実施例８に示すプラズマディスプレイパネルにおける４つの走査電極群に同時に走査パルスを印加するようにした点である。
【０１５３】
すなわち、この実施例のプラズマディスプレイパネル１２Ｈは、図１５及び図１６に示すように、４つの走査電極群、例えば、走査電極群１６m.t、１６(m+2).t、１６(m+5).t、１６(m+7).t、走査電極群１６m.b、１６(m+2).b、１６(m+5).b、１６(m+7).b、走査電極群１６(m+4).t、１６(m+6).t、１６(m+9).t、１６(m+11).t、走査電極群１６(m+4).b、１６(m+6).b、１６(m+9).b、１６(m+11).b…に同時に走査パルスＰwを印加させるようにして構成されている。
【０１５４】
したがって、走査ドライバ１８Ｈ(図１５には図示せず)は、４つの走査電極群、例えば、走査電極群１６m.t、１６(m+2).t、１６(m+5).t、１６(m+7).t、走査電極群１６m.b、１６(m+2).b、１６(m+5).b、１６(m+7).b、走査電極群１６(m+4).t、１６(m+6).t、１６(m+9).t、１６(m+11).t、走査電極群１６(m+4).b、１６(m+6).b、１６(m+9).b、１６(m+11).b、…毎に同時に走査パルスＰwを対応する４本のトレース電極、例えば、トレース電極３２m.t、３２(m+2).t、３２(m+5).t、３２(m+7).t、トレース電極３２m.b、３２(m+2).b、３２(m+5).b、３２(m+7).b、トレース電極３２(m+4).t、３２(m+6).t、３２(m+9).t、３２(m+11).t、トレース電極３２(m+4).b、３２(m+6).b、３２(m+9).b、３２(m+11).b…に供給する。
また、データドライバ２６Ｈ(図１５には図示せず)は、上記走査パルスＰwの印加と同期して対応するデータ電極にデータパルスＰdを順次供給するように構成されている。
走査ドライバ１８Ｈ、維持ドライバ２２Ｈ（図１５には図示せず）及びデータドライバ２６Ｈが、プラズマディスプレイパネル１２Ｈの駆動装置１０Ｈを構成する。
この構成以外のこの実施例の構成は、実施例１と同じであるので、同一の構成部分には同一の参照符号を付して、その逐一の説明は省略する。
【０１５５】
次に、図１５及び図１６を参照して、この実施例の動作について説明する。
この実施例のプラズマディスプレイパネル１２Ｈの駆動装置１０Ｈによる駆動においても、プラズマディスプレイパネル１２Ｈは、図１６に示すように、４つの期間、すなわち、予備放電期間Ａ、選択操作期間Ｂ、維持期間Ｃ及び維持消去期間Ｄから成るサブフィールド単位で駆動される。
上記予備放電期間Ａ、維持期間Ｃ及び維持消去期間Ｄの各期間におけるプラズマディスプレイパネル１２Ｇの駆動は、基本的に実施例８で説明したところと同じであるが、選択操作期間Ｂにおける駆動は、以下に述べるように異なる。
【０１５６】
すなわち、選択操作期間Ｂにおいて、４つの走査電極群毎、すなわち、走査電極群１６m.t、１６(m+2).t、１６(m+5).t、１６(m+7).t、走査電極群１６m.b、１６(m+2).b、１６(m+5).b、１６(m+7).b、走査電極群１６(m+4).t、１６(m+6).t、１６(m+9).t、１６(m+11).t、走査電極群１６(m+4).b、１６(m+6).b、１６(m+9).b、１６(m+11).b、…毎に、走査パルスＰwが走査ドライバ１８Ｇによって同時にそれら４つの走査電極群毎に印加される。
このような走査パルスＰwの印加と同期して対応するデータ電極にデータパルスＰdがデータドライバ２６Ｇによって順次印加される。
【０１５７】
例えば、表示セル１４(m+2)(n+2)（図１５の表示せず）が選択される場合には、走査電極群１６m.t、１６(m+2).t、１６(m+5).t、１６(m+7).tの各々に走査パルスＰwが走査ドライバ１８Ｈによって同時に印加される。
この走査パルスＰwが印加されている間に、例えば、データパルスＰdが、データドライバ２６Ｈによってデータ電極２４(n+2)に印加されて書込み動作が生ぜしめられる。
【０１５８】
この書込み動作が生ぜしめられるとき、同一表示行１３m+2の表示セル１４(m+2)(n+6)、…には、上記走査パルスＰwが印加されてはいるが、図示される周辺の６個の表示セル１４(m+1)(n+1)、１４(m+1)(n+3)、１４(m+2)n、１４(m+2)(n+4)、１４(m+3)(n+1)、１４(m+3)(n+3)には、走査パルスＰwは印加されていない。
したがって、上述の各実施例と同様に、上記表示セル１４(m+2)(n+2)での書込み動作における書込み放電によって、隣接する上記各表示セルにおいて誤放電の発生を効果的に抑制することができる。
【０１５９】
上述したように、この実施例においても、書込み放電を生ぜしめられる表示セルに隣接する表示セルには、走査パルスが印加されることはないから、〔背景技術〕の項でデルタ配列について説明した不具合、すなわち、選択された表示セルでの書込み放電によって当該表示セルに隣接する表示セルで誤放電を発生させるのを、実施例１乃至実施例8と同様、効果的に抑制することができる。
また、実施例８のプラズマディスプレイパネル１２Ｈの駆動においては、同一表示行に走査パルスを２回印加しているから、ストライプ配列での表示行の駆動に比して選択操作期間Ｂが４倍になってしまっていたが、この実施例においては、４つの走査電極群に同時に走査パルスを印加しているので、ストライプ配列の場合と同等の選択操作期間で表示を行うことができ、サブフィールドの期間を同一とした場合に惹起して来る表示輝度の低下は回避することができる。
【０１６０】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記実施例のうちのストライプ配列において、選択表示セルに走査パルスを印加したとき、該選択表示セルと境界部を共有する隣接の表示セルに走査パルスを印加しない構成、すなわち、或る表示行内の選択表示セルに走査パルスを印加する第１のタイミングと当該選択表示セルと隣り合う表示セルに走査パルスを印加する第２のタイミングとを異ならしめると同時に、上記或る表示行と隣り合う表示行内の表示セルであって上記選択表示セルと隣り合う表示セルに走査パルスを印加するタイミングを上記第２のタイミングと同一にするようにして、上記各実施例と同等に隣接の表示セルでの誤放電を抑制するようにしてもよい。
【０１６１】
また、上記各実施例では、選択操作期間Ｂにおける走査パルスの到達電位を負電圧にしているが、接地電位にして構成してもよい。
また、上記各実施例では、プラズマディスプレイパネルの周辺の表示セルを除き、すべての表示セルの走査電極が、当該表示セルと境界部を共有する表示セルの走査電極と接続されない構成について説明したが、そのような表示セルの一部の走査電極が当該表示セルと境界部を共有する表示セルの走査電極と接続される場合があってもよい。
【産業上の利用可能性】
【０１６２】
ここに開示しているプラズマディスプレイパネル並びにその駆動装置及び方法は、各種の表示装置、例えば、情報処理装置、携帯端末装置、ビデオカメラの表示装置等やテレビ等として利用し得るものである。
【図面の簡単な説明】
【０１６３】
【図１】この発明の実施例１であるプラズマディスプレイパネルをその表示面側から見た平面図である。
【図２】同プラズマディスプレイパネルの各電極と駆動回路との接続を模式的に示す図である。
【図３】同プラズマディスプレイパネルを駆動する駆動波形を示す図である。
【図４】この発明の実施例２であるプラズマディスプレイパネルをその表示面側から見た平面図である。
【図５】同プラズマディスプレイパネルの前面基板の内面側から見た状態を製造工程に従って示す平面図である。
【図６】図５のＡ−Ａ  部での断面図である。
【図７】この発明の実施例３であるプラズマディスプレイパネルをその表示面側から見た平面図である。
【図８】この発明の実施例４であるプラズマディスプレイパネルをその表示面側から見た平面図である。
【図９】この発明の実施例５であるプラズマディスプレイパネルをその表示面側から見た平面図である。
【図１０】同プラズマディスプレイパネルを駆動する駆動波形を示す図である。
【図１１】この発明の実施例６であるプラズマディスプレイパネルを駆動する駆動波形を示す図である。
【図１２】この発明の実施例７であるプラズマディスプレイパネルを駆動する駆動波形を示す図である。
【図１３】この発明の実施例８であるプラズマディスプレイパネルをその表示面側から見た平面図である。
【図１４】同プラズマディスプレイパネルを駆動する駆動波形を示す図である。
【図１５】この発明の実施例９であるプラズマディスプレイパネルをその表示面側から見た模式的な平面図である。  である。
【図１６】同プラズマディスプレイパネルを駆動する駆動波形を示す図である。
【図１７】従来の第1の例のプラズマディスプレイパネルの部分断面図である。
【図１８】同プラズマディスプレイパネルを表示面側から見た平面図である。
【図１９】従来の第2の例のプラズマディスプレイパネルを表示面側から見た平面図である。
【図２０】従来の第３の例のプラズマディスプレイパネルを表示面側から見た平面図である。
【図２１】従来の第４の例のプラズマディスプレイパネルを表示面側から見た平面図である。
【図２２】従来のプラズマディスプレイパネルの駆動に用いられる電圧パルスのタイミングチャートである。
【符号の説明】
【０１６４】
１０、１０Ａ、１０Ｂ、１０Ｃ、１０Ｄ、１０Ｅ、１０Ｆ、１０Ｇ、１０Ｈ      駆動装置
１８、１８Ｄ、１８Ｅ、１８Ｆ，１８Ｇ、１８Ｈ      走査ドライバ（第１の電圧印加手段、放電制御手段の一部）
２２、２２Ｄ、２２Ｅ、２２Ｆ、２２Ｇ、２２Ｈ      維持ドライバ（放電制御手段の残部）
２４n      データ電極（第３電極）
２６、２６Ｄ、２６Ｅ、２６Ｆ、２６Ｇ、２６Ｈ      データドライバ（第２の電圧印加手段）
２８mn      走査電極（第１電極）
３０mn      維持電極（第２電極）
【図１】
2005203153.tif 000003
【図２】
2005203153.tif 000004
【図３】
2005203153.tif 000005
【図４】
2005203153.tif 000006
【図５】
2005203153.tif 000007
【図６】
2005203153.tif 000008
【図７】
2005203153.tif 000009
【図８】
2005203153.tif 000010
【図９】
2005203153.tif 000011
【図１０】
2005203153.tif 000012
【図１１】
2005203153.tif 000013
【図１２】
2005203153.tif 000014
【図１３】
2005203153.tif 000015
【図１４】
2005203153.tif 000016
【図１５】
2005203153.tif 000017
【図１６】
2005203153.tif 000018
【図１７】
2005203153.tif 000019
【図１８】
2005203153.tif 000020
【図１９】
2005203153.tif 000021
【図２０】
2005203153.tif 000022
【図２１】
2005203153.tif 000023
【図２２】
2005203153.tif 000024